(57)【要約】【課題】  １原子でできる引力と成る磁気の光子の軌道エネルギーは、１．３５６×１０−３２Ｊｍです。この基本となる１単位はいくらか。熱はどのようにできるのか。カミオカンデの光は電子のラブが衝突した光ではないか。【解決手段】  引力と成る磁気の光子の軌道エネルギーの単位は、公転軌道エネルギーです。電子のラブは１公転し、７．９６×１０７個の磁気の光子を作ります。１公転してできた輪を１単位にします。この公転軌道エネルギーは、１．２３３×１０−４１ｍです。１．３５６×１０−３２Ｊｍは何単位（公転）でできるかを計算する。熱は電気の光子が遠赤外線の波長に成った時できる。地上の温度は１℃とし、これは電気の光子が約１０−５ｍに成った時できるとすると、何個の電気の光子でできるかを計算する。電子のラブが−２７３℃の空間に出た時の秒速はいくらになるかを計算する。【選択図】図１
2007274888.tif 000002
【特許請求の範囲】
【請求項１】
電子のラブや陽子のラブが存在することの証明。
従来、１９８５年におきたマゼラン星雲の超新星爆発により、出発した電子ニュートリノや陽子ニュートリノが、カミオカンデの水槽の水の電子や陽子に衝突し、光を放ったと考えられている。
私は、この現象を、１９８５年におきたマゼラン星雲の超新星爆発により、出発した電子のラブが、カミオカンデの水槽の水の電子のラブや陽子のラブに衝突し、光を放ったと考えます。
私は、水槽の水の電子のラブや陽子のラブに衝突したのはニュートリノではなく、電子のラブであると考えます。
もし、電子の大きさが約１０−１３ｍであり、陽子の大きさが約１０−１５ｍであるならば、水槽の電子や陽子に、超新星爆発でできた電子や陽子が衝突する確率は高い。しかし、観測できたのは１０数個です。
この事は、水槽の水の電子のラブや陽子のラブがとても小さく、電子や陽子は隙間だらけであるから、また超新星爆発で出発した電子はとても小さいから通過します。
この事は、電子の中に電子のラブがあり、陽子の中に陽子のラブがあることを証明する。
また、ニュートリノが地球を通過する現象は、ニュートリノがとても小さいからだけではなく、電子は隙間だらけであるから、陽子は隙間だらけであるからです。電子の空間の１点に、約１０−１８ｍの軌道で自転する電子のラブが存在するだけであるからです。陽子の空間の１点に、約１０−１８ｍの軌道で自転する陽子のラブが存在するだけであるからです。
ニュートリノが地球を通過する現象は、電子のラブの存在と陽子のラブの存在を証明する。
【請求項２】
引力とは何か。電子のラブが何回公転してできるか。
引力とは、磁気の光子の公転軌道エネルギーである。
１Ｋｇの物体と１Ｋｇの物体が１ｍ離れているとき６．６７２×１０−１１Ｊｍの引力ができる。
１原子でできる引力はいくらか。
１原子でできる引力をｘＪｍとします。
｛１Ｋｇ÷（１原子の質量）×ｘＪｍ｝２＝６．６７２×１０−１１Ｊｍ
｛１Ｋｇ÷（１．６６×１０−２７Ｋｇ）×ｘＪｍ｝２＝６．６７２×１０−１１Ｊｍ
｛６．０２４×１０２６個×ｘＪｍ｝２＝６．６７２×１０−１１Ｊｍ
ｘ＝１．３５６×１０−３２
１原子でできる引力は１．３５６×１０−３２Ｊｍです。
１原子でできる引力に成る磁気の光子の公転軌道エネルギーは、１．３５６×１０−３２Ｊｍです。
電子のラブは、１公転するとき、７．９６×１０７回自転します。電子のラブが１公転するときできる磁気の光子を１つの輪と考え、この公転軌道エネルギーを、「引力の１単位」とします。
引力の１単位＝公転軌道×１公転の磁気の光子のエネルギー＝公転軌道×１自転でできる磁気の光子のエネルギー×１公転するときの自転数＝１．０５８×１０−１０ｍ×１．４６４×１０−３９Ｊ×７．９６×１０７回自転＝１．２３３×１０−４１Ｊｍ
よって、引力の１単位は、電子のラブが１公転するときできる磁気の光子の輪で、これは、磁気の光子の公転軌道エネルギーで、１．２３３×１０−４１Ｊｍです。
１原子でできる引力は、何公転でできる磁気の光子の公転軌道エネルギーか。
１公転でできる磁気の光子の公転軌道エネルギーは、１．２３３×１０−４１Ｊｍですから、１．３５６×１０−３２Ｊｍは、
１原子でできる引力÷１公転でできる磁気の光子の公転軌道エネルギー＝１．３５６×１０−３２Ｊｍ÷（１．２３３×１０−４１Ｊｍ）＝１．１×１０９公転でできる。
１原子でできる引力と成る磁気の光子の公転軌道エネルギー１．３５６×１０−３２Ｊｍは、１．１×１０９公転でできる。
１原子でできる引力と成る磁気の光子の公転軌道エネルギー１．３５６×１０−３２Ｊｍは、１．１×１０９単位でできる。
１原子でできる引力と成る磁気の光子の公転軌道エネルギー１．３５６×１０−３２Ｊｍは、１．１×１０９個の磁気の光子の公転軌道の輪でできる。
この事によって、引力は相殺されずに残る磁気の光子によってできるものでないことが理解できた。
【請求項３】
地球の中や太陽の中で、引力はどのようであるか。
地球の地下の深さにおいて温度は一定です。太陽の深さにおいて温度は一定です。
地上の電子のラブが作る温度は１℃とします。
電子のラブの公転軌道＝１．０５８×１０−１０ｍ÷温度１／２
電子のラブが１公転で作る磁気の光子のエネルギー＝１．２３３×１０−４１Ｊｍ÷電子のラブの公転軌道＝１．２３３×１０−４１Ｊｍ÷（１．０５８×１０−１０ｍ÷温度１／２）＝１．１６５×１０−３１Ｊ×温度１／２
その場の電子のラブが１公転で作る磁気の光子のエネルギーは、地上でできる磁気の光子のエネルギーの温度１／２倍です。
その場でできる磁気の光子の公転軌道エネルギーは、地上の公転軌道エネルギー×温度１／２＝１．２３３×１０−４１Ｊｍ×温度１／２
その場の１原子でできる引力は、地上の１原子でできる引力×温度１／２＝１．３５６×１０−３２Ｊｍ×温度１／２です。
その場の１原子でできる引力は、１．１×１０９公転でできる。
その場の１原子でできる引力は、その場でできる磁気の光子の公転軌道エネルギー×１．１×１０９公転＝地上の公転軌道エネルギー×温度１／２×１．１×１０９公転＝１．２３３×１０−４１Ｊｍ×温度１／２×１．１×１０９公転
よって、次の式が成立する。
その場の１原子でできる引力＝地上の１原子でできる引力×温度１／２＝１．３５６×１０−３２Ｊｍ×温度１／２＝１．２３３×１０−４１Ｊｍ×温度１／２×１．１×１０９公転
【請求項４】
地球の地下における、１原子でできる引力はいくらか。
・地下６５００Ｋｍでは、温度は７３２７℃です。
この場の１原子でできる引力＝１．３５６×１０−３２Ｊｍ×７３２７１／２＝１．３５６×１０−３２Ｊｍ×８５．６＝１．１６１×１０−３０Ｊｍ
この場の１原子でできる引力＝１．２３３×１０−４１Ｊｍ×温度１／２×１．１×１０９公転＝１．２３３×１０−４１Ｊｍ×８５．６×１．１×１０９公転＝１．１６１×１０−３０Ｊｍ
・地下６０００Ｋｍでは、温度は６０００℃です。
この場の１原子でできる引力＝１．３５６×１０−３２Ｊｍ×６０００１／２＝１．３５６×１０−３２Ｊｍ×７７．４６＝１．０５０×１０−３０Ｊｍ
この場の１原子でできる引力＝１．２３３×１０−４１Ｊｍ×６０００１／２×１．１×１０９公転＝１．２３３×１０−４１Ｊｍ×７７．４６×１．１×１０９公転＝１．０５１×１０−３０Ｊｍ
・地下５０００Ｋｍでは、温度は５０００℃です。
この場の１原子でできる引力＝１．３５６×１０−３２Ｊｍ×５０００１／２＝１．３５６×１０−３２Ｊｍ×７０．７１＝９．５８８×１０−３１Ｊｍ
この場の１原子でできる引力＝１．２３３×１０−４１Ｊｍ×５０００１／２×１．１×１０９公転＝１．２３３×１０−４１Ｊｍ×７０．７１×１．１×１０９公転＝９．５９０×１０−３１Ｊｍ
・地下４０００Ｋｍでは、温度は４０００℃です。
この場の１原子でできる引力＝１．３５６×１０−３２Ｊｍ×４０００１／２＝１．３５６×１０−３２Ｊｍ×６３．２５＝８．５７７×１０−３１Ｊｍ
この場の１原子でできる引力＝１．２３３×１０−４１Ｊｍ×４０００１／２×１．１×１０９公転＝１．２３３×１０−４１Ｊｍ×６３．２５×１．１×１０９公転＝８．５７９×１０−３１Ｊｍ
・地下３０００Ｋｍでは、温度は３０００℃です。
この場の１原子でできる引力＝１．３５６×１０−３２Ｊｍ×３０００１／２＝１．３５６×１０−３２Ｊｍ×５４．７７＝７．４２７×１０−３１Ｊｍ
この場の１原子でできる引力＝１．２３３×１０−４１Ｊｍ×３０００１／２×１．１×１０９公転＝１．２３３×１０−４１Ｊｍ×５４．７７×１．１×１０９公転＝７．４２８×１０−３１Ｊｍ
・地下２０００Ｋｍでは、温度は２０００℃です。
この場の１原子でできる引力＝１．３５６×１０−３２Ｊｍ×２０００１／２＝１．３５６×１０−３２Ｊｍ×４４．７２＝６．０６４×１０−３１Ｊｍ
この場の１原子でできる引力＝１．２３３×１０−４１Ｊｍ×２０００１／２×１．１×１０９公転＝１．２３３×１０−４１Ｊｍ×４４．７２×１．１×１０９公転＝６．０６５×１０−３１Ｊｍ
・地下１０００Ｋｍでは、温度は１０００℃です。
この場の１原子でできる引力＝１．３５６×１０−３２Ｊｍ×１０００１／２＝１．３５６×１０−３２Ｊｍ×３１．６２３＝４．２８９×１０−３１Ｊｍ
この場の１原子でできる引力＝１．２３３×１０−４１Ｊｍ×１０００１／２×１．１×１０９公転＝１．２３３×１０−４１Ｊｍ×３１．６２３×１．１×１０９公転＝４．２８９×１０−３１Ｊｍ
【請求項５】
太陽の深さにおける、１原子でできる引力はいくらか。
・太陽の深さが７×１０５Ｋｍと６×１０５Ｋｍでは、温度は１５×１０６℃です。
この場の１原子でできる引力＝１．３５６×１０−３２Ｊｍ×（１５×１０６）１／２＝１．３５６×１０−３２Ｊｍ×３．８７３×１０３＝５．２５２×１０−２９Ｊｍ
この場の１原子でできる引力＝１．２３３×１０−４１Ｊｍ×（１５×１０６）１／２×１．１×１０９公転＝１．２３３×１０−４１Ｊｍ×３．８７３×１０３×１．１×１０９公転＝５．２５３×１０−２９Ｊｍ
・太陽の深さが５×１０５Ｋｍでは、温度は１１．７５×１０６℃です。
この場の１原子でできる引力＝１．３５６×１０−３２Ｊｍ×（１１．７５×１０６）１／２＝１．３５６×１０−３２Ｊｍ×３．４２８×１０３＝４．６４８×１０−２９Ｊｍ
この場の１原子でできる引力＝１．２３３×１０−４１Ｊｍ×（１１．７５×１０６）１／２×１．１×１０９公転＝１．２３３×１０−４１Ｊｍ×３．４２８×１０３×１．１×１０９公転＝４．６４９×１０−２９Ｊｍ
・太陽の深さが４×１０５ｍでは、温度は８．５×１０６℃です。
この場の１原子でできる引力＝１．３５６×１０−３２Ｊｍ×（８．５×１０６）１／２＝１．３５６×１０−３２Ｊｍ×２．９１５×１０３＝３．９５３×１０−２９Ｊｍ
この場の１原子でできる引力＝１．２３３×１０−４１Ｊｍ×（８．５×１０６）１／２×１．１×１０９公転＝１．２３３×１０−４１Ｊｍ×２．９１５×１０３×１．１×１０９公転＝３．９５４×１０−２９Ｊｍ
・太陽の深さが３×１０５Ｋｍでは、温度は５．２５×１０６℃です。
この場の１原子でできる引力＝１．３５６×１０−３２Ｊｍ×（５．２５×１０６）１／２＝１．３５６×１０−３２Ｊｍ×２．２９１×１０３＝３．１０７×１０−２９Ｊｍ
この場の１原子でできる引力＝１．２３３×１０−４１Ｊｍ×（５．２５×１０６）１／２×１．１×１０９公転＝１．２３３×１０−４１Ｊｍ×２．２９１×１０３×１．１×１０９公転＝３．１０８×１０−２９Ｊｍ
・太陽の深さが２×１０５Ｋｍでは、温度は２×１０６℃です。
この場の１原子でできる引力＝１．３５６×１０−３２Ｊｍ×（２×１０６）１／２＝１．３５６×１０−３２Ｊｍ×１．４１４×１０３＝１．９１７×１０−２９Ｊｍ
この場の１原子でできる引力＝１．２３３×１０−４１Ｊｍ×（２×１０６）１／２×１．１×１０９公転＝１．２３３×１０−４１Ｊｍ×１．４１４×１０３×１．１×１０９公転＝１．９１８×１０−２９Ｊｍ
・太陽の深さが１０５Ｋｍでは、温度は１０６℃です。
この場の１原子でできる引力＝１．３５６×１０−３２Ｊｍ×（１０６）１／２＝１．３５６×１０−３２Ｊｍ×１０３＝１．３５６×１０−２９Ｊｍ
この場の１原子でできる引力＝１．２３３×１０−４１Ｊｍ×（１０６）１／２×１．１×１０９公転＝１．２３３×１０−４１Ｊｍ×１０３×１．１×１０９公転＝１．３５６×１０−２９Ｊｍ
・太陽の深さが１０４Ｋｍでは、温度は１０５℃です。
この場の１原子でできる引力＝１．３５６×１０−３２Ｊｍ×（１０５）１／２＝１．３５６×１０−３２Ｊｍ×３．１６２×１０２＝４．２８８×１０−３０Ｊｍ
この場の１原子でできる引力＝１．２３３×１０−４１Ｊｍ×（１０５）１／２×１．１×１０９公転＝１．２３３×１０−４１Ｊｍ×３．１６２×１０３×１．１×１０９公転＝４．２８９×１０−３０Ｊｍ
・太陽の深さが１０３Ｋｍでは、温度は１０４℃です。
この場の１原子でできる引力＝１．３５６×１０−３２Ｊｍ×（１０４）１／２＝１．３５６×１０−３２Ｊｍ×１０２＝１．３５６×１０−３０Ｊｍ
この場の１原子でできる引力＝１．２３３×１０−４１Ｊｍ×（１０４）１／２×１．１×１０９公転＝１．２３３×１０−４１Ｊｍ×１０２×１．１×１０９公転＝１．３５６×１０−３０Ｊｍ
・太陽の深さが４×１０２Ｋｍでは、温度は６．４×１０３℃です。
この場の１原子でできる引力＝１．３５６×１０−３２Ｊｍ×（６．４×１０３）１／２＝１．３５６×１０−３２Ｊｍ×８０＝１．０８５×１０−３０Ｊｍ
この場の１原子でできる引力＝１．２３３×１０−４１Ｊｍ×（６．４×１０３）１／２×１．１×１０９公転＝１．２３３×１０−４１Ｊｍ×８０×１．１×１０９公転＝１．０８５×１０−３０Ｊｍ
・太陽の深さが１Ｋｍでは、温度は４．３×１０３℃です。
この場の１原子でできる引力＝１．３５６×１０−３２Ｊｍ×（４．３×１０３）１／２＝１．３５６×１０−３２Ｊｍ×６５．５７４＝８．８９２×１０−３１Ｊｍ
この場の１原子でできる引力＝１．２３３×１０−４１Ｊｍ×（４．３×１０３）１／２×１．１×１０９公転＝１．２３３×１０−４１Ｊｍ×６５．５７４×１．１×１０９公転＝８．８９４×１０−３１Ｊｍ
【請求項６】
熱エネルギーとは何か。電子のラブが何回公転してできるか。
熱エネルギーはラブが公転する事によってできる電気の光子のエネルギーです。
地上の温度を１℃とします。
地上の温度は、電子のラブが作る電気の光子のエネルギーである。
私は、熱となる電気の光子のエネルギーは、３．０６７×１０１０公転でできると考えてきた。
これは、１公転でできる電気の光子のエネルギーは、１．１６４×１０−３１Ｊであるからです。
熱になる電気の光子のエネルギーは、３．０６７×１０１０公転×１．１６４×１０−３１Ｊ＝３．５７×１０−２１Ｊ＝１℃です。
しかし、問題が発生しました。
この１公転でできる電気の光子の公転軌道は、１．０５８３６×１０−１０ｍです。
熱に成る遠赤外線の電気の光子の波長は約１０−５ｍです。
熱になる遠赤外線の電気の光子の波長を１０−５ｍとする。
熱になる電気の光子１個のエネルギーはいくらか。
電子のラブが１公転でできる電気の光子のエネルギーの式は、１．２３３×１０−４１Ｊｍ÷公転軌道  ですから、熱になる電気の光子１個のエネルギーは、
１．２３３×１０−４１Ｊｍ÷公転軌道＝１．２３３×１０−４１Ｊｍ÷（１０−５ｍ÷２）＝２．４６６×１０−３６Ｊです。
熱になる電気の光子のエネルギーは、何個の電気の光子のエネルギーか。
１℃＝２７４Ｋ＝２７４×１．３８×１０−２３Ｊ＝３．７８１２×１０−２１Ｊ
熱になる電気の光子のエネルギー÷電気の光子１個のエネルギー＝３．７８１２×１０−２１Ｊ÷（２．４６６×１０−３６Ｊ）＝１．５３３×１０１５個
熱になる電気の光子のエネルギーは、１．５３３×１０１５個の電気の光子のエネルギーです。
これは何秒間にできる電気の光子のエネルギーか。
１秒間にできる電気の光子のエネルギーは、（７．９６×１０７）２個＝６．３３６×１０１５個ですから、
１．５３３×１０１５個÷（６．３３６×１０１５個）＝０．２４２
０．２４２秒間にできる電気の光子のエネルギーです。
この計算によって、熱になる遠赤外線は、電子のラブが１秒間に作った電気の光子が約１０−５ｍの波長になったものである事が理解できた。
熱は、電子のラブが１秒間に作った電気の光子が遠赤外線の波長になった時できるエネルギーである。
【請求項７】
地上の熱は１℃で、電子のラブが１秒間に作った電気の光子が遠赤外線の波長になってできた熱エネルギーである。熱になる遠赤外線の波長はいくらか。
軌道をｘｍとします。波長は０．５ｘｍです。
この遠赤外線のエネルギーは、
１．２３３×１０−４１Ｊｍ÷公転軌道＝１．２３３×１０−４１Ｊｍ÷ｘｍです。
電子のラブは１秒間に、（７．９６×１０７）２個＝６．３３６×１０１５個の電気の光子を作りますから、１秒間に熱になる遠赤外線のエネルギーは、６．３３６×１０１５個×１．２３３×１０−４１Ｊｍ÷ｘｍです
１秒間に熱になる遠赤外線のエネルギーは１℃＝２７４Ｋ＝２７４×１．３８×１０−２３Ｊ＝３．７８１２×１０−２１Ｊですから、
６．３３６×１０１５個×１．２３３×１０−４１Ｊｍ÷ｘｍ＝３．７８１２×１０−２１Ｊ
ｘｍ＝６．３３６×１０１５×１．２３３×１０−４１Ｊｍ÷（３．７８１２×１０−２１Ｊ）＝２．０６６×１０−５ｍ
熱になる遠赤外線の軌道は、２．０６６×１０−５ｍです。
熱になる遠赤外線の波長は、４．１３２×１０−５ｍです。
熱とは、電子のラブが１秒間に作る６．３３６×１０１５個の電気の光子の波長が４．１３２×１０−５ｍになった時できる熱エネルギーです。
地上の熱エネルギーは１℃＝３．７８１２×１０−２１Ｊであり、この熱エネルギーは、電子のラブが１秒間公転して作った６．３３６×１０１５個の電気の光子が、波長を４．１３２×１０−５ｍにした時できる熱エネルギーです。
・陽子のラブが作る電気の光子のエネルギーについて。
陽子のラブは１公転で、１．１６４×１０−３１Ｊの電気の光子を作ります。しかし、その光子の軌道が電子のラブの軌道になったとき、１８３６倍になり、エネルギーは１８３６分の１に成ります。
そして、１秒間の公転数は、４．３４×１０４×７．９６×１０７＝３．４５５×１０１２公転ですから、
公転数は、６．３３６×１０１５公転÷（３．４５５×１０１２公転）＝１８３４分の１です。
それで、陽子のラブが１秒間に作る電気の光子のエネルギーは、電子のラブが１秒間に作る電気の光子のエネルギーの（１．８３４×１０３）２＝３．３６６×１０６分の１です。
よって、１原子が作る熱エネルギーは、電子のラブが作ると考えてよい。
熱エネルギーは、電子のラブが公転して作った電気の光子が遠赤外線の波長になったとき現れるエネルギーです。
熱エネルギーの波長が４．１３２×１０−５ｍの場合は、電子のラブが１秒間公転して作った電気の光子のエネルギーです。
この事によって、熱エネルギーは相殺によって残っている電気の光子のエネルギーではない事が理解できた。
【請求項８】
１℃は電子のラブが何回公転してできるか。
・熱と成る電気の光子の軌道をＡｍとします。熱と成る電気の光子の波長は、２Ａｍです。
この熱と成る電気の光子のエネルギーは、１．２３３×１０−４１Ｊｍ÷Ａｍです。
電子のラブが１公転してできる熱と成る電気の光子のエネルギーは、
１．２３３×１０−４１Ｊｍ÷Ａｍです。
１℃は電子のラブが何回公転してできるか。
１℃＝２７４Ｋ＝２７４×１．３８×１０−２３Ｊ＝３．７８１２×１０−２１Ｊ
１℃を作る電子のラブの公転数＝１℃のエネルギー÷電子のラブが１公転してできる熱と成る電気の光子のエネルギー＝３．７８１２×１０−２１Ｊ÷（１．２３３×１０−４１Ｊｍ÷Ａｍ）＝３．０６７×１０２０×Ａ回。
１℃は、熱と成る電気の光子の波長が２Ａｍの場合、電子のラブが３．０６７×１０２０×Ａ回公転してできる。
・もし、１秒間にできる電気の光子が熱エネルギーに成ると仮定しますと、熱エネルギーになる電気の光子の軌道はいくらか。波長はいくらか。
１℃を作る電子のラブの公転数＝１℃のエネルギー÷電子のラブが１公転してできる熱と成る電気の光子のエネルギー
電子のラブの１秒間の公転数＝３．７８１２×１０−２１Ｊ÷（１．２３３×１０−４１Ｊｍ÷軌道ｍ）
（７．９６×１０７）２回＝３．０６７×１０２０×軌道回
軌道＝（７．９６×１０７）２÷（３．０６７×１０２０）＝２．０６６×１０−５（ｍ）
熱と成る電気の光子の軌道は、２．０６６×１０−５ｍです。波長は、２．０６６×１０−５ｍ×２＝４．１３２×１０−５ｍです。
熱と成る電気の光子の軌道が、２．０６６×１０−５ｍの場合、１公転でできる電気の光子が作る熱エネルギーはいくらか。
１公転でできる電気の光子が作る熱エネルギー＝１．２３３×１０−４１Ｊｍ÷（２．０６６×１０−５ｍ）＝５．９６８×１０−３７Ｊ
１公転でできる電気の光子が作る熱エネルギーは、５．９６８×１０−３７Ｊです。
１秒間にできる熱エネルギーは、
１公転でできる電気の光子が作る熱エネルギー×１秒間の公転数＝５．９６８×１０−３７Ｊ×（７．９６×１０７）２＝３．７８１×１０−２１Ｊ＝１℃です。
遠赤外線である熱と成る電気の光子の波長が４．１３２×１０−５ｍの場合、熱は電子のラブが１秒間公転して作る電気の光子によってできる。
熱と成る電気の光子の波長が４．１３２×１０−５ｍの場合、電子のラブが１秒間に作った（７．９６×１０７）２個の電気の光子が波長４．１３２×１０−５ｍになると、１℃の熱エネルギーになる。
【請求項９】
１Ｋは電子のラブが何回公転してできるか。
・熱と成る電気の光子の軌道をＡｍとします。熱と成る電気の光子の波長は、２Ａｍです。
この熱と成る電気の光子のエネルギーは、１．２３３×１０−４１Ｊｍ÷Ａｍです。
電子のラブが１公転してできる熱と成る電気の光子のエネルギーは、１．２３３×１０−４１Ｊｍ÷Ａｍです。
１Ｋは電子のラブが何回公転してできるか。
１Ｋ＝１．３８×１０−２３Ｊ
１Ｋを作る電子のラブの公転数＝１Ｋのエネルギー÷電子のラブが１公転してできる熱と成る電気の光子のエネルギー＝１．３８×１０−２３Ｊ÷（１．２３３×１０−４１Ｊｍ÷Ａｍ）＝１．１１９×１０１８×Ａ回。
１Ｋは、熱と成る電気の光子の波長が２Ａｍの場合、電子のラブが１．１１９×１０１８×Ａ回公転してできる電気の光子が自分の波長を２Ａｍにする時できる熱エネルギーです。
・もし、熱と成る電気の光子の波長が４．１３２×１０−５ｍであるとするならば、１Ｋは電子のラブが何回公転して作った電気の光子が熱エネルギーになったものか。
熱と成る電気の光子の軌道が、２．０６６×１０−５ｍの場合、１公転でできる電気の光子が作る熱エネルギーは、
１公転でできる電気の光子が作る熱エネルギー＝１．２３３×１０−４１Ｊｍ÷（２．０６６×１０−５ｍ）＝５．９６８×１０−３７Ｊです。
１Ｋは電子のラブが何回公転して作る電気の光子のエネルギーか。
１Ｋ÷１公転でできる電気の光子が作る熱エネルギー＝１．３８×１０−２３Ｊ÷（５．９６８×１０−３７Ｊ）＝２．３１２×１０１３回
又、Ａｍ＝２．０６６×１０−５ｍですから、
１Ｋを作る電子のラブの公転数＝１．１１９×１０１８×Ａ回＝１．１１９×１０１８×２．０６６×１０−５回＝２．３１２×１０１３回
１Ｋは電子のラブが２．３１２×１０１３回公転してできる２．３１２×１０１３個の電気の光子が４．１３２×１０−５ｍの波長になったときできる熱エネルギーです。
【請求項１０】
地球の中や太陽の中で、熱はどのようにできたものか。
電子のラブの公転によってできた電気の光子は遠赤外線の波長になると一定の熱エネルギーを発します。
その場の熱エネルギーは、その場の一定の距離（例えば１０−１０ｍ）に存在する電子のラブの数に比例します。
電子のラブの公転軌道が小さい程、その場の一定の距離（例えば１０−１０ｍ）に存在する電子のラブの数は多く、電子のラブの数が多いほど、電子のラブが作る電気の光子の数が多くなり、その場の熱エネルギーは大きくなる。
例えば、地上では、電子のラブの公転軌道は１．０５８×１０−１０ｍで、１．０５８×１０−１０ｍに１個の電子のラブが存在し、この電子のラブが１秒間に作る熱エネルギーは１℃です。
地下で、電子のラブの公転軌道が１．０５８×１０−１１ｍの場では、１．０５８×１０−１０ｍに１０個の電子のラブが存在し、この電子のラブが１秒間に作る熱エネルギーは１０℃になります。この場の温度は１０２℃＝１００℃です。
それで、温度がＡ２℃の場では、
電子のラブの公転軌道は、１．０５８×１０−１０ｍ÷Ａです。
１．０５８×１０−１０ｍの中に、Ａ個の電子のラブがあります。
それで、この場でできる熱エネルギーは、地上でできる熱エネルギー（１℃）のＡ倍です。
これは、Ａ個の電子のラブが１秒間に、Ａ×（７．９６×１０７）２個の電気の光子を作り、この電気の光子が４．１３２×１０−５ｍの波長になったとき、熱エネルギーに成るからです。
１秒間にできる熱エネルギー＝電子のラブの数×１電子のラブが１秒間に作る電気の光子の数×１個の電気の光子の熱エネルギー＝Ａ×（７．９６×１０７）２個×１．２３３×１０−４１Ｊｍ÷（２．０６６×１０−５ｍ）＝Ａ×３．７８１４×１０−２１Ｊ＝Ａ×１℃＝Ａ℃      この場の温度は、Ａ２℃です。
【請求項１１】
地球の地下における熱エネルギーはどのようにできるか。
・地下６５００Ｋｍでは、温度は７３２７℃です。
この場では、電子のラブの公転軌道＝１．０５８×１０−１０ｍ÷７３２７１／２＝１．０５８×１０−１０ｍ÷８５．６
１．０５８×１０−１０ｍに、８５．６個の電子のラブが存在する。
８５．６個の電子のラブが１秒間公転して作る電気の光子の数は、８５．６×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
８５．６×（７．９６×１０７）２個×１．２３３×１０−４１Ｊｍ÷（２．０６６×１０−５ｍ）＝８５．６×３．７８１４×１０−２１Ｊ＝８５．６×１℃＝８５．６℃です。
この場の温度は、８５．６２℃＝７３２７℃です。
・地下６０００Ｋｍでは、温度は６０００℃です。
この場では、電子のラブの公転軌道＝１．０５８×１０−１０ｍ÷６０００１／２＝１．０５８×１０−１０ｍ÷７７．４６
１．０５８×１０−１０ｍに、７７．４６個の電子のラブが存在する。
７７．４６個の電子のラブが１秒間公転して作る電気の光子の数は、７７．４６×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
７７．４６×（７．９６×１０７）２個×１．２３３×１０−４１Ｊｍ÷（２．０６６×１０−５ｍ）＝７７．４６×３．７８１４×１０−２１Ｊ＝７７．４６×１℃＝７７．４６℃です。
この場の温度は、７７．４６２℃＝６０００℃です。
・地下５０００Ｋｍでは、温度は５０００℃です。
この場では、電子のラブの公転軌道＝１．０５８×１０−１０ｍ÷５０００１／２＝１．０５８×１０−１０ｍ÷７０．７１
１．０５８×１０−１０ｍに、７０．７１個の電子のラブが存在する。
７０．７１個の電子のラブが１秒間公転して作る電気の光子の数は、８５．６×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
７０．７１×（７．９６×１０７）２個×１．２３３×１０−４１Ｊｍ÷（２．０６６×１０−５ｍ）＝７０．７１×３．７８１４×１０−２１Ｊ＝７０．７１×１℃＝７０．７１℃です。
この場の温度は、７０．７１２℃＝５０００℃です。
・地下４０００Ｋｍでは、温度は４０００℃です。
この場では、電子のラブの公転軌道＝１．０５８×１０−１０ｍ÷４０００１／２＝１．０５８×１０−１０ｍ÷６３．２５
１．０５８×１０−１０ｍに、６３．２５個の電子のラブが存在する。
６３．２５個の電子のラブが１秒間公転して作る電気の光子の数は、６３．２５×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
６３．２５×（７．９６×１０７）２個×１．２３３×１０−４１Ｊｍ÷（２．０６６×１０−５ｍ）＝６３．２５×３．７８１４×１０−２１Ｊ＝６３．２５×１℃＝６３．２５℃です。
この場の温度は、６３．２５２℃＝４０００℃です。
・地下３０００Ｋｍでは、温度は３０００℃です。
この場では、電子のラブの公転軌道＝１．０５８×１０−１０ｍ÷３０００１／２＝１．０５８×１０−１０ｍ÷５４．７７
１．０５８×１０−１０ｍに、５４．７７個の電子のラブが存在する。
５４．７７個の電子のラブが１秒間公転して作る電気の光子の数は、５４．７７×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
５４．７７×（７．９６×１０７）２個×１．２３３×１０−４１Ｊｍ÷（２．０６６×１０−５ｍ）＝５４．７７×３．７８１４×１０−２１Ｊ＝５４．７７×１℃＝５４．７７℃です。
この場の温度は、５４．７７２℃＝３０００℃です。
・地下２０００Ｋｍでは、温度は２０００℃です。
この場では、電子のラブの公転軌道＝１．０５８×１０−１０ｍ÷２０００１／２＝１．０５８×１０−１０ｍ÷４４．７２
１．０５８×１０−１０ｍに、４４．７２個の電子のラブが存在する。
４４．７２個の電子のラブが１秒間公転して作る電気の光子の数は、４４．７２×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
４４．７２×（７．９６×１０７）２個×１．２３３×１０−４１Ｊｍ÷（２．０６６×１０−５ｍ）＝４４．７２×３．７８１４×１０−２１Ｊ＝４４．７２×１℃＝４４．７２℃です。
この場の温度は、４４．７２２℃＝２０００℃です。
・地下１０００Ｋｍでは、温度は１０００℃です。
この場では、電子のラブの公転軌道＝１．０５８×１０−１０ｍ÷１０００１／２＝１．０５８×１０−１０ｍ÷３１．６２３
１．０５８×１０−１０ｍに、３１．６２３個の電子のラブが存在する。
３１．６２３個の電子のラブが１秒間公転して作る電気の光子の数は、３１．６２３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３１．６２３×（７．９６×１０７）２個×１．２３３×１０−４１Ｊｍ÷（２．０６６×１０−５ｍ）＝３１．６７２×３．７８１４×１０−２１Ｊ＝３１．６７２×１℃＝３１．６７２℃です。
この場の温度は、３１．６７２２℃＝１００３℃です。
【請求項１２】
太陽の深さにおける熱エネルギーはどのようにできるか。
・太陽の深さが７×１０６Ｋｍと６×１０６Ｋｍでは、温度は１５×１０６℃です。
この場では、電子のラブの公転軌道＝１．０５８×１０−１０ｍ÷（１５×１０６）１／２＝１．０５８×１０−１０ｍ÷（３．８７３×１０３）
１．０５８×１０−１０ｍに、３．８７３×１０３個の電子のラブが存在する。
３．８７３×１０３個の電子のラブが１秒間公転して作る電気の光子の数は、３．８７３×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３．８７３×１０３×（７．９６×１０７）２個×１．２３３×１０−４１Ｊｍ÷（２．０６６×１０−５ｍ）＝３．８７３×１０３×３．７８１４×１０−２１Ｊ＝３．８７３×１０３×１℃＝３．８７３×１０３℃です。
この場の温度は、（３．８７３×１０３）２℃＝１５×１０６℃です。
・太陽の深さが５×１０５Ｋｍでは、温度は１１．７５×１０６℃です。
この場では、電子のラブの公転軌道＝１．０５８×１０−１０ｍ÷（１１．７５×１０６）１／２＝１．０５８×１０−１０ｍ÷（３．４２８×１０３）
１．０５８×１０−１０ｍに、３．４２８×１０３個の電子のラブが存在する。
３．４２８×１０３個の電子のラブが１秒間公転して作る電気の光子の数は、３．４２８×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３．４２８×１０３×（７．９６×１０７）２個×１．２３３×１０−４１Ｊｍ÷（２．０６６×１０−５ｍ）＝３．４２８×１０３×３．７８１４×１０−２１Ｊ＝３．４２８×１０３×１℃＝３．４２８×１０３℃です。
この場の温度は、（３．４２８×１０３）２℃＝１１．７５×１０６℃です。
・太陽の深さが４×１０５Ｋｍでは、温度は８．５×１０６℃です。
この場では、電子のラブの公転軌道＝１．０５８×１０−１０ｍ÷（８．５×１０６）１／２＝１．０５８×１０−１０ｍ÷（２．９１５×１０３）
１．０５８×１０−１０ｍに、２．９１５××１０３個の電子のラブが存在する。
２．９１５×１０３個の電子のラブが１秒間公転して作る電気の光子の数は、２．９１５×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
２．９１５×１０３×（７．９６×１０７）２個×１．２３３×１０−４１Ｊｍ÷（２．０６６×１０−５ｍ）＝１２．９１５×１０３×３．７８１４×１０−２１Ｊ＝２．９１５×１０３×１℃＝２．９１５×１０３℃です。
この場の温度は、（２．９１５×１０３）２℃＝８．５×１０６℃です。
・太陽の深さが３×１０５Ｋｍでは、温度は５．２５×１０６℃です。
この場では、電子のラブの公転軌道＝１．０５８×１０−１０ｍ÷（５．２５×１０６）１／２＝１．０５８×１０−１０ｍ÷（２．２９１×１０３）
１．０５８×１０−１０ｍに、２．２９１×１０３個の電子のラブが存在する。
２．２９１×１０３個の電子のラブが１秒間公転して作る電気の光子の数は、２．２９１×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
２．２９１×１０３×（７．９６×１０７）２個×１．２３３×１０−４１Ｊｍ÷（２．０６６×１０−５ｍ）＝２．２９１×１０３×３．７８１４×１０−２１Ｊ＝２．２９１×１０３×１℃＝２．２９１×１０３℃です。
この場の温度は、（２．２９１×１０３）２℃＝５．２５×１０６℃です。
・太陽の深さが２×１０５Ｋｍでは、温度は２×１０６℃です。
この場では、電子のラブの公転軌道＝１．０５８×１０−１０ｍ÷（２×１０６）１／２＝１．０５８×１０−１０ｍ÷（１．４１４×１０３）
１．０５８×１０−１０ｍに、１．４１４×１０３個の電子のラブが存在する。
１．４１４×１０３個の電子のラブが１秒間公転して作る電気の光子の数は、１．４１４×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
１．４１４×１０３×（７．９６×１０７）２個×１．２３３×１０−４１Ｊｍ÷（２．０６６×１０−５ｍ）＝１．４１４×１０３×３．７８１４×１０−２１Ｊ＝１．４１４×１０３×１℃＝１．４１４×１０３℃です。
この場の温度は、（１．４１４×１０３）２℃＝２×１０６℃です。
・太陽の深さが１０５Ｋｍでは、温度は１０６℃です。
この場では、電子のラブの公転軌道＝１．０５８×１０−１０ｍ÷（１０６）１／２＝１．０５８×１０−１０ｍ÷１０３１．０５８×１０−１０ｍに、１０３個の電子のラブが存在する。
１０３個の電子のラブが１秒間公転して作る電気の光子の数は、１０３×（７．９６×１０７）２個です。
これらの電気の光子が遠赤外線の波長になったとき、熱エネルギーを発する。
遠赤外線の波長を２×２．０６６×１０−５ｍとすると、１秒間にできる熱エネルギーは、
１０３×（７．９６×１０７）２個×１．２３３×１０−４１Ｊｍ÷（２．０６６×１０−５ｍ）＝１０３×３．７８１４×１０−２１Ｊ＝１０３×１℃＝１０３℃です。
この場の温度は、（１０３）２℃＝１０６℃です。
・太陽の深さが１０４Ｋｍでは、温度は１０５℃です。
この場では、電子のラブの公転軌道＝１．０５８×１０−１０ｍ÷（１０５）１／２＝１．０５８×１０−１０ｍ÷（３．１６２×１０２）
１．０５８×１０−１０ｍに、３．１６２×１０２個の電子のラブが存在する。
３．１６２×１０２個の電子のラブが１秒間公転して作る電気の光子の数は、３．１６２×１０２×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３．１６２×１０２×（７．９６×１０７）２個×１．２３３×１０−４１Ｊｍ÷（２．０６６×１０−５ｍ）＝３．１６２×１０２×３．７８１４×１０−２１Ｊ＝３．１６２×１０２×１℃＝３．１６２×１０２℃です。
この場の温度は、（３．１６２×１０２）２℃＝１０５℃です。
・太陽の深さが１０３Ｋｍでは、温度は１０４℃です。
この場では、電子のラブの公転軌道＝１．０５８×１０−１０ｍ÷（１０４）１／２＝１．０５８×１０−１０ｍ÷１０２
１．０５８×１０−１０ｍに、１０２個の電子のラブが存在する。
１０２個の電子のラブが１秒間公転して作る電気の光子の数は、１０２×（７．９６×１０７）２個です。
これらの電気の光子が遠赤外線の波長になったとき、熱エネルギーを発する。
遠赤外線の波長を２×２．０６６×１０−５ｍとすると、１秒間にできる熱エネルギーは、
１０２×（７．９６×１０７）２個×１．２３３×１０−４１Ｊｍ÷（２．０６６×１０−５ｍ）＝１０２×３．７８１４×１０−２１Ｊ＝１０２×１℃＝１０２℃です。
この場の温度は、（１０２）２℃＝１０４℃です。
・太陽の深さが４×１０２Ｋｍでは、温度は６．４×１０３℃です。
この場では、電子のラブの公転軌道＝１．０５８×１０−１０ｍ÷（６．４×１０３）１／２＝１．０５８×１０−１０ｍ÷８０
１．０５８×１０−１０ｍに、８０個の電子のラブが存在する。
８０個の電子のラブが１秒間公転して作る電気の光子の数は、８０×（７．９６×１０７）２個です。
これらの電気の光子が遠赤外線の波長になったとき、熱エネルギーを発する。
遠赤外線の波長を２×２．０６６×１０−５ｍとすると、１秒間にできる熱エネルギーは、
８０×（７．９６×１０７）２個×１．２３３×１０−４１Ｊｍ÷（２．０６６×１０−５ｍ）＝８０×３．７８１４×１０−２１Ｊ＝８０×１℃＝８０℃です。
この場の温度は、（８０）２℃＝６．４×１０３℃です。
・太陽の深さが１Ｋｍでは、温度は４．３×１０３℃です。
この場では、電子のラブの公転軌道＝１．０５８×１０−１０ｍ÷（４．３×１０３）１／２＝１．０５８×１０−１０ｍ÷６５．５７４
１．０５８×１０−１０ｍに、６５．５７４個の電子のラブが存在する。
６５．５７４個の電子のラブが１秒間公転して作る電気の光子の数は、６５．５７４×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
６５．５７４×（７．９６×１０７）２個×１．２３３×１０−４１Ｊｍ÷（２．０６６×１０−５ｍ）＝６５．５７４×３．７８１４×１０−２１Ｊ＝６５．５７４×１℃＝６５．５７４℃です。
この場の温度は、６５．５７４２℃＝４．３×１０３℃です。
地下における引力と温度のまとめ。
2007274888.tif 000005
太陽における引力と温度のまとめ。
2007274888.tif 000006
2007274888.tif 000007
【請求項１３】
電子のラブの秒速を求める式。
電子のラブの秒速＝３．１４×電子のラブの公転軌道×１秒間の公転数＝３．１４×電子のラブの公転軌道×（７．９６×１０７）２＝１．９９０×１０１６×電子のラブの公転軌道
電子のラブの秒速＝３．１４×電子のラブの公転軌道×１秒間の公転数＝３．１４×８．６６５×１０−２４Ｊｍ÷電子のラブのエネルギー×（７．９６×１０７）２＝１．７２４×１０１６÷電子のラブのエネルギー
▲１▼１自転で作る磁気の光子のエネルギー＝１．５４９×１０−４９Ｊｍ÷電子のラブの公転軌道
電子のラブの公転軌道＝１．５４９×１０−４９Ｊｍ÷１自転で作る磁気の光子のエネルギー
▲２▼１公転で作る磁気の光子のエネルギー＝１．２３３×１０−４１Ｊｍ÷電子のラブの公転軌道
電子のラブの公転軌道＝１．２３３×１０−４１Ｊｍ÷１公転で作る磁気の光子のエネルギー
▲３▼１秒間に作る磁気の光子のエネルギー＝７．８１５×１０−２６Ｊｍ÷電子のラブの公転軌道
電子のラブの公転軌道＝７．８１５×１０−２６Ｊｍ÷１秒間に作る磁気の光子のエネルギー
▲１▼から、
電子のラブの秒速＝３．１４×電子のラブの公転軌道×１秒間の公転数＝３．１４×１．５４９×１０−４９Ｊｍ÷１自転で作る磁気の光子のエネルギー×（７．９６×１０７）２＝３．０８２×１０−３３Ｊｍ÷１自転で作る磁気の光子のエネルギー
▲２▼から、
電子のラブの秒速＝３．１４×電子のラブの公転軌道×１秒間の公転数＝３．１４×１．２３３×１０−４１Ｊｍ÷１公転で作る磁気の光子のエネルギー×（７．９６×１０７）２＝２．４５３×１０−２５Ｊｍ÷１公転で作る磁気の光子のエネルギー
▲３▼から、
電子のラブの秒速＝３．１４×電子のラブの公転軌道×１秒間の公転数＝３．１４×７．８１５×１０−２６Ｊｍ÷１秒間に作る磁気の光子のエネルギー×（７．９６×１０７）２＝１．５５５×１０−９Ｊｍ÷１秒間に作る磁気の光子のエネルギー
よって、電子のラブの秒速は次の式によって求められる。
電子のラブの秒速＝１．９９０×１０１６×電子のラブの公転軌道
電子のラブの秒速＝１．７２４×１０１６÷電子のラブのエネルギー
電子のラブの秒速＝３．０８２×１０−３３Ｊｍ÷１自転で作る磁気の光子のエネルギー
電子のラブの秒速＝２．４５３×１０−２５Ｊｍ÷１公転で作る磁気の光子のエネルギー
電子のラブの秒速＝１．５５５×１０−９Ｊｍ÷１秒間に作る磁気の光子のエネルギー
この式により理解できる事。
電子のラブの秒速は、電子のラブの公転軌道に比例する。
電子のラブの秒速は、電子のラブのエネルギーに反比例する。
電子のラブの秒速は、磁気の光子のエネルギーに反比例する。
磁気の光子のエネルギー＝電気の光子のエネルギーですから、
電子のラブの秒速は、電気の光子のエネルギーに反比例する。
【請求項１４】
陽子のラブの秒速を求める式。
陽子のラブの秒速＝３．１４×陽子のラブの公転軌道×１秒間の公転数＝３．１４×陽子のラブの公転軌道×４．３４×１０４×７．９６×１０７＝１．０８５×１０１３×陽子のラブの公転軌道
陽子のラブの秒速＝３．１４×陽子のラブの公転軌道×１秒間の公転数＝３．１４×８．６６５×１０−２４Ｊｍ÷陽子のラブのエネルギー×４．３４×１０４×７．９６×１０７＝９．３９９×１０−１１÷陽子のラブのエネルギー
▲１▼１自転で作る磁気の光子のエネルギー＝１．５４９×１０−４９Ｊｍ÷陽子のラブの公転軌道
陽子のラブの公転軌道＝１．５４９×１０−４９Ｊｍ÷１自転で作る磁気の光子のエネルギー
▲２▼１公転で作る磁気の光子のエネルギー＝６．７２４×１０−４５Ｊｍ÷陽子のラブの公転軌道
陽子のラブの公転軌道＝６．７２４×１０−４５Ｊｍ÷１公転で作る磁気の光子のエネルギー
▲３▼１秒間に作る磁気の光子のエネルギー＝２．３２３×１０−３２Ｊｍ÷陽子のラブの公転軌道
陽子のラブの公転軌道＝２．３２３×１０−３２Ｊｍ÷１秒間に作る磁気の光子のエネルギー
▲１▼より、
陽子のラブの秒速＝３．１４×陽子のラブの公転軌道×１秒間の公転数＝３．１４×１．５４９×１０−４９Ｊｍ÷１自転で作る磁気の光子のエネルギー×４．３４×１０４×７．９６×１０７＝１．６８０×１０−３６Ｊｍ÷１自転で作る磁気の光子のエネルギー
▲２▼より、
陽子のラブの秒速＝３．１４×陽子のラブの公転軌道×１秒間の公転数＝３．１４×６．７２４×１０−４５Ｊｍ÷１公転で作る磁気の光子のエネルギー×４．３４×１０４×７．９６×１０７＝７．２９４×１０−３２Ｊｍ÷１公転で作る磁気の光子のエネルギー
▲３▼より、
陽子のラブの秒速＝３．１４×陽子のラブの公転軌道×１秒間の公転数＝３．１４×２．３２３×１０−３２Ｊｍ÷１秒間に作る磁気の光子のエネルギー×４．３４×１０４×７．９６×１０７＝＝２．５２０×１０−１９Ｊｍ÷１秒間に作る磁気の光子のエネルギー
よって、陽子のラブの秒速は次の式によって求められる。
陽子のラブの秒速＝１．０８５×１０１３×陽子のラブの公転軌道
陽子のラブの秒速＝９．３９９×１０−１１÷陽子のラブのエネルギー
陽子のラブの秒速＝１．６８０×１０−３６Ｊｍ÷１自転で作る磁気の光子のエネルギー
陽子のラブの秒速＝７．２９４×１０−３２Ｊｍ÷１公転で作る磁気の光子のエネルギー
陽子のラブの秒速＝２．５２０×１０−１９Ｊｍ÷１秒間に作る磁気の光子のエネルギー
この式により理解できる事。
陽子のラブの秒速は、陽子のラブの公転軌道に比例する。
陽子のラブの秒速は、陽子のラブのエネルギーに反比例する。
陽子のラブの秒速は、磁気の光子のエネルギーに反比例する。
磁気の光子のエネルギー＝電気の光子のエネルギーですから、
陽子のラブの秒速は、電気の光子のエネルギーに反比例する。
【請求項１５】
電子のラブの公転軌道を求める式。
電子のラブの公転軌道＝８．６６５×１０−２４Ｊｍ÷電子のラブのエネルギー
電子のラブの秒速＝１．９９０×１０１６×電子のラブの公転軌道
電子のラブの公転軌道＝電子のラブの秒速÷（１．９９０×１０１６）＝５．０２５×１０−１７×電子のラブの秒速
電子のラブの公転軌道＝１．５４９×１０−４９Ｊｍ÷１自転で作る磁気の光子のエネルギー
電子のラブの公転軌道＝１．２３３×１０−４１Ｊｍ÷１公転でできる磁気の光子のエネルギー
電子のラブの公転軌道＝７．８１５×１０−２６Ｊｍ÷１秒間にできる磁気の光子のエネルギー
電子のラブの公転軌道＝１．０５８×１０−１０ｍ÷温度１／２（温度がマイナスの場合は、×温度１／２）
この式により理解できる事。
電子のラブの公転軌道は、電子のラブのエネルギーに反比例する。
電子のラブの公転軌道は、磁気の光子のエネルギーに反比例する。
磁気の光子のエネルギー＝電気の光子のエネルギーですから、
電子のラブの公転軌道は、電気の光子のエネルギーに反比例する。
電子のラブの公転軌道は、電子のラブの秒速に比例する。
電子のラブの公転軌道は、温度１／２に反比例する。
【請求項１６】
陽子のラブの公転軌道を求める式。
陽子のラブの公転軌道＝８．６６５×１０−２４Ｊｍ÷陽子のラブのエネルギー
陽子のラブの秒速＝１．０８５×１０１３×陽子のラブの公転軌道
陽子のラブの公転軌道＝陽子のラブの秒速÷（１．０８５×１０１３）＝９．２１７×１０−１４×陽子のラブの秒速
陽子のラブの公転軌道＝１．５４９×１０−４９Ｊｍ÷１自転で作る磁気の光子のエネルギー
陽子のラブの公転軌道＝６．７２４×１０−４５Ｊｍ÷１公転で作る磁気の光子のエネルギー
陽子のラブの公転軌道＝２．３２３×１０−３２Ｊｍ÷１秒間に作る磁気の光子のエネルギー
陽子のラブの公転軌道＝５．７６４×１０−１４ｍ÷温度１／２（温度がマイナスの場合は、×温度１／２）
この式により理解できる事。
陽子のラブの公転軌道は、陽子のラブのエネルギーに反比例する。
陽子のラブの公転軌道は、磁気の光子のエネルギーに反比例する。
磁気の光子のエネルギー＝電気の光子のエネルギーですから、
陽子のラブの公転軌道は、電気の光子のエネルギーに反比例する。
陽子のラブの公転軌道は、電子のラブの秒速に比例する。
陽子のラブの公転軌道は、温度１／２に反比例する。
【請求項１７】
電子のラブの最大公転軌道はいくらか。
▲１▼電子のラブの公転軌道を秒速で算出する場合。
電子のラブの秒速＝１．９９０×１０１６×電子のラブの公転軌道
電子のラブの秒速が光速の時、
電子のラブの秒速＝３×１０８ｍ＝１．９９０×１０１６×電子のラブの公転軌道
電子のラブの公転軌道＝３×１０８ｍ÷（１．９９０×１０１６）＝１．５０８×１０−８ｍ
電子のラブの公転軌道が１．５０８×１０−８ｍのとき、電子のラブの秒速は光速となり、直進し、回転はしない。
よって、電子のラブの公転軌道は１．５０８×１０−８ｍより大きく成る事はできない。
これを、「電子のラブの限界公転軌道」と名づける。
秒速から算出した「電子のラブの限界公転軌道」は１．５０８×１０−８ｍです。
▲２▼絶対０℃より算出した場合。
−２７３℃における、電子のラブの公転軌道はいくらか。
電子のラブの公転軌道は、１．０５８×１０−１０ｍ×２７３１／２＝１．７４８×１０−９ｍです。
−２７３℃より低い温度はない。
よって、電子のラブの公転軌道は１．７４８×１０−９ｍより大きく成る事はできない。
これを、「電子のラブの限界公転軌道」と名づける。
温度から算出した「電子のラブの限界公転軌道」は１．７４８×１０−９ｍです。
▲１▼と▲２▼から判断し、「電子のラブの限界公転軌道」は１．７４８×１０−９ｍです。
「電子のラブの限界公転軌道」は１．７４８×１０−９ｍです。
この電子のラブの秒速は、
３．１４×１．７４８×１０−９ｍ×（７．９６×１０７）２公転＝３．４７８×１０７ｍです。
電子のラブは、秒速が３．４７８×１０７ｍに成ると、回転できなくなり、直進する。
【請求項１８】
陽子のラブの最大公転軌道はいくらか。
▲１▼陽子のラブの公転軌道を秒速で算出する場合。
陽子のラブの秒速＝１．０８５×１０１３×陽子のラブの公転軌道
陽子のラブの秒速が光速の時、
陽子のラブの秒速＝３×１０８ｍ＝１．０８５×１０１３×陽子のラブの公転軌道
陽子のラブの公転軌道＝３×１０８ｍ÷（１．０８５×１０１３）＝２．７６５×１０−５ｍ
陽子のラブの公転軌道が２．７６５×１０−５ｍのとき、陽子のラブの秒速は光速となり、直進し、回転はしない。
よって、陽子のラブの公転軌道は２．７６５×１０−５ｍより大きく成る事はできない。
これを、「陽子のラブの限界公転軌道」と名づける。
秒速から算出した「陽子のラブの限界公転軌道」は２．７６５×１０−５ｍです。
▲２▼絶対０℃より算出した場合。
−２７３℃における、陽子のラブの公転軌道はいくらか。
陽子のラブの公転軌道は、５．７６４×１０−１４ｍ×２７３１／２＝９．５２４×１０−１３ｍです。
−２７３℃より低い温度はない。
よって、陽子のラブの公転軌道は９．５２４×１０−１３ｍより大きく成る事はできない。
これを、「陽子のラブの限界公転軌道」と名づける。
温度から算出した「陽子のラブの限界公転軌道」は９．５２４×１０−１３ｍです。
▲２▼と▲２▼から判断し、「陽子のラブの限界公転軌道」は９．５２４×１０−１３ｍです。
「陽子のラブの限界公転軌道」は９．５２４×１０−１３ｍです。
この陽子のラブの秒速は、
３．１４×９．５２４×１０−１３ｍ×７．９６×１０７×４．３４×１０４公転＝１．０３３×１０ｍです。
陽子のラブは、秒速が１０．３３ｍに成ると、回転できなくなり、直進する。
【請求項１９】
「電子のラブの限界公転軌道」を超えた電子のラブはどのようになるか。
「電子のラブの限界公転軌道」は、１．７４８×１０−９ｍです。
この電子のラブの秒速は、３．４７８×１０７ｍです。
電子のラブは、秒速が３．４７８×１０７ｍに成ると、回転できなくなり、直進する。
直進する速さは光速です。
よって、超新星爆発で−２７３℃の空間に出た電子のラブは、光速で直進する。この電子のラブがカミオカンデの水槽で水の電子のラブや陽子のラブに衝突したと考えられる。
【発明の詳細な説明】
【技術分野】
【０００１】  この発明は引力と熱に関する。電子の速度と公転軌道に関する。陽子の速度と公転軌道に関する。
【背景技術】
【０００２】万有引力定数は、６．６７２×１０−１１Ｎｍ２／Ｋｇ２です。熱は遠赤外線でできる。
【発明の開示】
私は、２００７年１月２２日に提出した特許願「請求項１５」万有引力の発生原理、において、
電子のラブが作る磁気の光子１個の公転軌道エネルギー＝１．５４９×１０−４９Ｊｍ
陽子のラブが作る磁気の光子１個の公転軌道エネルギー＝１．５４９×１０−４９Ｊｍ
この磁気の光子の軌道エネルギーが万有引力に成っている。と記しました。
「請求項１６」万有引力はどのようにできるか。万有引力の解明、において、
よって、１原子から放出する磁気の光子の公転軌道エネルギーは４．２６４×１０−４９Ｊｍです。
１原子から放出する磁気の光子の公転軌道エネルギーが万有引力になっている。と記しました。
しかし、１原子でできる引力に成る磁気の光子の公転軌道エネルギーは、１．３５６×１０−３２Ｊｍです。電子のラブは、１公転するとき、７．９６×１０７回自転します。電子のラブが１公転するときできる磁気の光子を１つの輪と考え、この公転軌道エネルギーを引力の１単位と考えます。
引力の１単位＝公転軌道×１自転でできる磁気の光子のエネルギー×１公転するときの自転数＝１．０５８×１０−１０ｍ×１．４６４×１０−３９Ｊ×７．９６×１０７回自転＝１．２３３×１０−４１Ｊｍ
電子のラブが１公転するときできる磁気の光子の輪の公転軌道エネルギー＝引力の１単位＝１．２３３×１０−４１Ｊｍ  と考え、１．３５６×１０−３２Ｊｍは何単位であるかを知る。
私は、熱となる電気の光子のエネルギーは、３．０６７×１０１０公転でできると考えてきた。
これは、１公転でできる電気の光子のエネルギーは、１．１６４×１０−３１Ｊであるからです。
熱になる電気の光子のエネルギー＝３．０６７×１０１０公転×１．１６４×１０−３１Ｊ＝３．５７×１０−２１Ｊ＝１℃であるからです。
しかし、熱になる電気の光子は遠赤外線であり、約１０−５ｍの波長です。
それで、電気の光子が約１０−５ｍの波長になったとき熱になる電気の光子のエネルギーは、
１．２３３×１０−４１Ｊｍ÷公転軌道＝１．２３３×１０−４１Ｊｍ÷（１０−５ｍ÷２）＝２．４６６×１０−３６Ｊです。
熱になる電気の光子のエネルギーは、何個の電気の光子のエネルギーか。
熱になる電気の光子のエネルギー÷電気の光子１個のエネルギー＝３．７８１２×１０−２１Ｊ÷（２．４６６×１０−３６Ｊ）＝１．５３３×１０１５個
これは、電子のラブが約１秒間に作る電気の光子の個数です。
それで、熱と成る電気の光子のエネルギーは１秒間にできる、と考える。
【発明が解決しようとする課題】
【０００３】１．電子のラブや陽子のラブが存在することの証明。
２．引力とは何か。電子のラブが何回公転してできるか。
３．地球の中や太陽の中で、引力はどのようであるか。
４．地球の地下における、１原子でできる引力はいくらか。
５．太陽の深さにおける、１原子でできる引力はいくらか。
６．熱エネルギーとは何か。電子のラブが何回公転してできるか。
７．地上の熱は１℃で、電子のラブが１秒間に作った電気の光子が遠赤外線の波長になってできた熱エネルギーである。熱になる遠赤外線の波長はいくらか。
８．１℃は電子のラブが何回公転してできるか。
９．１Ｋは電子のラブが何回公転してできるか。
１０．地球の中や太陽の中で、熱はどのようにできたものか。
１１．地球の地下における熱エネルギーはどのようにできるか。
１２．太陽の深さにおける熱エネルギーはどのようにできるか。
１３．電子のラブの秒速を求める式。
１４．陽子のラブの秒速を求める式。
１５．電子のラブの公転軌道を求める式。
１６．陽子のラブの公転軌道を求める式。
１７．電子のラブの最大公転軌道はいくらか。
１８．陽子のラブの最大公転軌道はいくらか。
【発明を解決するための手段】
【０００４】電子のラブが１公転するときできる磁気の光子の輪の公転軌道エネルギー＝引力の１単位＝１．２３３×１０−４１Ｊｍ  とする。１原子でできる引力に成る磁気の光子の公転軌道エネルギーは、１．３５６×１０−３２Ｊｍです。
１原子でできる引力に成る磁気の光子の公転軌道エネルギーは、何単位でできるか。
１．３５６×１０−３２Ｊｍ÷（１．２３３×１０−４１Ｊｍ）＝１．１×１０９単位（＝公転）でできる。
熱と成る電気の光子のエネルギーは１秒間にできる、と考える。この場合遠赤外線の波長はいくらか。
１つの電気の光子（＝１公転でできる電気の光子）が、１つの遠赤外線になる。遠赤外線のエネルギーは波長によって一定である。
それで、遠赤外線のエネルギーは、電気の光子の数に比例する。
１つの電子のラブが１秒間に作る電気の光子の数は、（７．９６×１０７）２個です。
１つの電子のラブが１秒間に作る遠赤外線のエネルギー＝１つの電子のラブが１秒間に作る電気の光子の数（＝遠赤外線の数）×遠赤外線のエネルギー＝（７．９６×１０７）２個×遠赤外線のエネルギー＝一定
遠赤外線のエネルギー＝１．２３３×１０−４１Ｊｍ÷（波長÷２）
地上の電子のラブが１秒間に作る熱エネルギーを１℃とする。
地上の電子のラブの公転軌道は、１．０５８×１０−１０ｍです。電子のラブの数は、公転軌道に反比例する。それで、電子のラブの数＝１℃の場の電子のラブの公転軌道÷その場の電子のラブの公転軌道＝１．０５８×１０−１０ｍ÷その場の電子のラブの公転軌道
熱エネルギー＝電子のラブの数×１つの電子のラブが１秒間に作る遠赤外線のエネルギー＝電子のラブの数×（７．９６×１０７）２個×遠赤外線のエネルギー＝電子のラブの数×（７．９６×１０７）２個×１．２３３×１０−４１Ｊｍ÷（波長÷２）＝電子のラブの数×１．５６２×１０−２５Ｊｍ÷波長
熱エネルギーは電子のラブの数に比例する。
よって、熱エネルギー＝電子のラブの数×１．５６２×１０−２５Ｊｍ÷波長＝１．０５８×１０−１０ｍ÷その場の電子のラブの公転軌道×１．５６２×１０−２５Ｊｍ÷波長
それで、地上の場合、電子のラブの公転軌道は１．０５８×１０−１０ｍで、熱エネルギーは１℃です。１℃＝２７４Ｋ＝２７４×１．３８×１０−２３Ｊ＝３．７８１２×１０−２１Ｊ
１℃＝３．７８１２×１０−２１Ｊ＝１．０５８×１０−１０ｍ÷（１．０５８×１０−１０ｍ）×１．５６２×１０−２５Ｊｍ÷波長
波長＝１．５６２×１０−２５Ｊｍ÷（３．７８１２×１０−２１Ｊ）＝４．１３１×１０−５ｍ
遠赤外線の波長は、４．１３１×１０−５ｍです。
これは、地上の電子のラブが１秒間に作る熱エネルギーを１℃とした場合の波長です。
【発明の実施態様】
【０００５】１．電子のラブや陽子のラブが存在することの証明。
従来、１９８５年におきたマゼラン星雲の超新星爆発により、出発した電子ニュートリノや陽子ニュートリノが、カミオカンデの水槽の水の電子や陽子に衝突し、光を放ったと考えられている。
私は、この現象を、１９８５年におきたマゼラン星雲の超新星爆発により、出発した電子のラブが、カミオカンデの水槽の水の電子のラブや陽子のラブに衝突し、光を放ったと考えます。
私は、水槽の水の電子のラブや陽子のラブに衝突したのはニュートリノではなく、電子のラブであると考えます。
もし、電子の大きさが約１０−１３ｍであり、陽子の大きさが約１０−１５ｍであるならば、水槽の電子や陽子に、超新星爆発でできた電子や陽子が衝突する確率は高い。しかし、観測できたのは１０数個です。
この事は、水槽の水の電子のラブや陽子のラブがとても小さく、電子や陽子は隙間だらけであるから、また超新星爆発で出発した電子はとても小さいから通過します。
この事は、電子の中に電子のラブがあり、陽子の中に陽子のラブがあることを証明する。
また、ニュートリノが地球を通過する現象は、ニュートリノがとても小さいからだけではなく、電子は隙間だらけであるから、陽子は隙間だらけであるからです。電子の空間の１点に、約１０−１８ｍの軌道で自転する電子のラブが存在するだけであるからです。陽子の空間の１点に、約１０−１８ｍの軌道で自転する陽子のラブが存在するだけであるからです。
ニュートリノが地球を通過する現象は、電子のラブの存在と陽子のラブの存在を証明する。
２．引力とは何か。電子のラブが何回公転してできるか。
引力とは、磁気の光子の公転軌道エネルギーである。
１Ｋｇの物体と１Ｋｇの物体が１ｍ離れているとき６．６７２×１０−１１Ｊｍの引力ができる。
１原子でできる引力はいくらか。
１原子でできる引力をｘＪｍとします。
｛１Ｋｇ÷（１原子の質量）×ｘＪｍ｝２＝６．６７２×１０−１１Ｊｍ
｛１Ｋｇ÷（１．６６×１０−２７Ｋｇ）×ｘＪｍ｝２＝６．６７２×１０−１１Ｊｍ
｛６．０２４×１０２６個×ｘＪｍ｝２＝６．６７２×１０−１１Ｊｍ
ｘ＝１．３５６×１０−３２
１原子でできる引力は１．３５６×１０−３２Ｊｍです。
１原子でできる引力に成る磁気の光子の公転軌道エネルギーは、１．３５６×１０−３２Ｊｍです。
電子のラブは、１公転するとき、７．９６×１０７回自転します。電子のラブが１公転するときできる磁気の光子を１つの輪と考え、この公転軌道エネルギーを、「引力の１単位」とします。
引力の１単位＝公転軌道×１公転の磁気の光子のエネルギー＝公転軌道×１自転でできる磁気の光子のエネルギー×１公転するときの自転数＝１．０５８×１０−１０ｍ×１．４６４×１０−３９Ｊ×７．９６×１０７回自転＝１．２３３×１０−４１Ｊｍ
よって、引力の１単位は、電子のラブが１公転するときできる磁気の光子の輪で、これは、磁気の光子の公転軌道エネルギーで、１．２３３×１０−４１Ｊｍです。
１原子でできる引力は、何公転でできる磁気の光子の公転軌道エネルギーか。
１公転でできる磁気の光子の公転軌道エネルギーは、１．２３３×１０−４１Ｊｍですから、１．３５６×１０−３２Ｊｍは、
１原子でできる引力÷１公転でできる磁気の光子の公転軌道エネルギー＝１．３５６×１０−３２Ｊｍ÷（１．２３３×１０−４１Ｊｍ）＝１．１×１０９公転でできる。
１原子でできる引力と成る磁気の光子の公転軌道エネルギー１．３５６×１０−３２Ｊｍは、１．１×１０９公転でできる。
１原子でできる引力と成る磁気の光子の公転軌道エネルギー１．３５６×１０−３２Ｊｍは、１．１×１０９単位でできる。
１原子でできる引力と成る磁気の光子の公転軌道エネルギー１．３５６×１０−３２Ｊｍは、１．１×１０９個の磁気の光子の公転軌道の輪でできる。
この事によって、引力は相殺されずに残る磁気の光子によってできるものでないことが理解できた。
３．地球の中や太陽の中で、引力はどのようであるか。
地球の地下の深さにおいて温度は一定です。太陽の深さにおいて温度は一定です。
地上の電子のラブが作る温度は１℃とします。
電子のラブの公転軌道＝１．０５８×１０−１０ｍ÷温度１／２
電子のラブが１公転で作る磁気の光子のエネルギー＝１．２３３×１０−４１Ｊｍ÷電子のラブの公転
軌道＝１．２３３×１０−４１Ｊｍ÷（１．０５８×１０−１０ｍ÷温度１／２）＝１．１６５×１０−３１Ｊ×温度１／２
その場の電子のラブが１公転で作る磁気の光子のエネルギーは、地上でできる磁気の光子のエネルギーの温度１／２倍です。
その場でできる磁気の光子の公転軌道エネルギーは、地上の公転軌道エネルギー×温度１／２＝１．２３３×１０−４１Ｊｍ×温度１／２
その場の１原子でできる引力は、地上の１原子でできる引力×温度１／２＝１．３５６×１０−３２Ｊｍ×温度１／２です。
その場の１原子でできる引力は、１．１×１０９公転でできる。
その場の１原子でできる引力は、その場でできる磁気の光子の公転軌道エネルギー×１．１×１０９公転＝地上の公転軌道エネルギー×温度１／２×１．１×１０９公転＝１．２３３×１０−４１Ｊｍ×温度１／２×１．１×１０９公転
よって、次の式が成立する。
その場の１原子でできる引力＝地上の１原子でできる引力×温度１／２＝１．３５６×１０−３２Ｊｍ×温度１／２＝１．２３３×１０−４１Ｊｍ×温度１／２×１．１×１０９公転
４．地球の地下における、１原子でできる引力はいくらか。
・地下６５００Ｋｍでは、温度は７３２７℃です。
この場の１原子でできる引力＝１．３５６×１０−３２Ｊｍ×７３２７１／２＝１．３５６×１０−３２Ｊｍ×８５．６＝１．１６１×１０−３０Ｊｍ
この場の１原子でできる引力＝１．２３３×１０−４１Ｊｍ×温度１／２×１．１×１０９公転＝１．２３３×１０−４１Ｊｍ×８５．６×１．１×１０９公転＝１．１６１×１０−３０Ｊｍ
・地下６０００Ｋｍでは、温度は６０００℃です。
この場の１原子でできる引力＝１．３５６×１０−３２Ｊｍ×６０００１／２＝１．３５６×１０−３２Ｊｍ×７７．４６＝１．０５０×１０−３０Ｊｍ
この場の１原子でできる引力＝１．２３３×１０−４１Ｊｍ×６０００１／２×１．１×１０９公転＝１．２３３×１０−４１Ｊｍ×７７．４６×１．１×１０９公転＝１．０５１×１０−３０Ｊｍ
・地下５０００Ｋｍでは、温度は５０００℃です。
この場の１原子でできる引力＝１．３５６×１０−３２Ｊｍ×５０００１／２＝１．３５６×１０−３２Ｊｍ×７０．７１＝９．５８８×１０−３１Ｊｍ
この場の１原子でできる引力＝１．２３３×１０−４１Ｊｍ×５０００１／２×１．１×１０９公転＝１．２３３×１０−４１Ｊｍ×７０．７１×１．１×１０９公転＝９．５９０×１０−３１Ｊｍ
・地下４０００Ｋｍでは、温度は４０００℃です。
この場の１原子でできる引力＝１．３５６×１０−３２Ｊｍ×４０００１／２＝１．３５６×１０−３２Ｊｍ×６３．２５＝８．５７７×１０−３１Ｊｍ
この場の１原子でできる引力＝１．２３３×１０−４１Ｊｍ×４０００１／２×１．１×１０９公転＝１．２３３×１０−４１Ｊｍ×６３．２５×１．１×１０９公転＝８．５７９×１０−３１Ｊｍ
・地下３０００Ｋｍでは、温度は３０００℃です。
この場の１原子でできる引力＝１．３５６×１０−３２Ｊｍ×３０００１／２＝１．３５６×１０−３２Ｊｍ×５４．７７＝７．４２７×１０−３１Ｊｍ
この場の１原子でできる引力＝１．２３３×１０−４１Ｊｍ×３０００１／２×１．１×１０９公転＝１．２３３×１０−４１Ｊｍ×５４．７７×１．１×１０９公転＝７．４２８×１０−３１Ｊｍ
・地下２０００Ｋｍでは、温度は２０００℃です。
この場の１原子でできる引力＝１．３５６×１０−３２Ｊｍ×２０００１／２＝１．３５６×１０−３２Ｊｍ×４４．７２＝６．０６４×１０−３１Ｊｍ
この場の１原子でできる引力＝１．２３３×１０−４１Ｊｍ×２０００１／２×１．１×１０９公転＝１．２３３×１０−４１Ｊｍ×４４．７２×１．１×１０９公転＝６．０６５×１０−３１Ｊｍ
・地下１０００Ｋｍでは、温度は１０００℃です。
この場の１原子でできる引力＝１．３５６×１０−３２Ｊｍ×１０００１／２＝１．３５６×１０−３２Ｊｍ×３１．６２３＝４．２８９×１０−３１Ｊｍ
この場の１原子でできる引力＝１．２３３×１０−４１Ｊｍ×１０００１／２×１．１×１０９公転＝１．２３３×１０−４１Ｊｍ×３１．６２３×１．１×１０９公転＝４．２８９×１０−３１Ｊｍ
５．太陽の深さにおける、１原子でできる引力はいくらか。
・太陽の深さが７×１０５Ｋｍと６×１０５Ｋｍでは、温度は１５×１０６℃です。
この場の１原子でできる引力＝１．３５６×１０−３２Ｊｍ×（１５×１０６）１／２＝１．３５６×１０−３２Ｊｍ×３．８７３×１０３＝５．２５２×１０−２９Ｊｍ
この場の１原子でできる引力＝１．２３３×１０−４１Ｊｍ×（１５×１０６）１／２×１．１×１０９公転＝１．２３３×１０−４１Ｊｍ×３．８７３×１０３×１．１×１０９公転＝５．２５３×１０−２９Ｊｍ
・太陽の深さが５×１０５Ｋｍでは、温度は１１．７５×１０６℃です。
この場の１原子でできる引力＝１．３５６×１０−３２Ｊｍ×（１１．７５×１０６）１／２＝１．３５６×１０−３２Ｊｍ×３．４２８×１０３＝４．６４８×１０−２９Ｊｍ
この場の１原子でできる引力＝１．２３３×１０−４１Ｊｍ×（１１．７５×１０６）１／２×１．１×１０９公転＝１．２３３×１０−４１Ｊｍ×３．４２８×１０３×１．１×１０９公転＝４．６４９×１０−２９Ｊｍ
・太陽の深さが４×１０５Ｋｍでは、温度は８．５×１０６℃です。
この場の１原子でできる引力＝１．３５６×１０−３２Ｊｍ×（８．５×１０６）１／２＝１．３５６×１０−３２Ｊｍ×２．９１５×１０３＝３．９５３×１０−２９Ｊｍ
この場の１原子でできる引力＝１．２３３×１０−４１Ｊｍ×（８．５×１０６）１／２×１．１×１０９公転＝１．２３３×１０−４１Ｊｍ×２．９１５×１０３×１．１×１０９公転＝３．９５４×１０−２９Ｊｍ
・太陽の深さが３×１０５Ｋｍでは、温度は５．２５×１０６℃です。
この場の１原子でできる引力＝１．３５６×１０−３２Ｊｍ×（５．２５×１０６）１／２＝１．３５６×１０−３２Ｊｍ×２．２９１×１０３＝３．１０７×１０−２９Ｊｍ
この場の１原子でできる引力＝１．２３３×１０−４１Ｊｍ×（５．２５×１０６）１／２×１．１×１０９公転＝１．２３３×１０−４１Ｊｍ×２．２９１×１０３×１．１×１０９公転＝３．１０８×１０−２９Ｊｍ
・太陽の深さが２×１０５Ｋｍでは、温度は２×１０６℃です。
この場の１原子でできる引力＝１．３５６×１０−３２Ｊｍ×（２×１０６）１／２＝１．３５６×１０−３２Ｊｍ×１．４１４×１０３＝１．９１７×１０−２９Ｊｍ
この場の１原子でできる引力＝１．２３３×１０−４１Ｊｍ×（２×１０６）１／２×１．１×１０９公転＝１．２３３×１０−４１Ｊｍ×１．４１４×１０３×１．１×１０９公転＝１．９１８×１０−２９Ｊｍ
・太陽の深さが１０５Ｋｍでは、温度は１０６℃です。
この場の１原子でできる引力＝１．３５６×１０−３２Ｊｍ×（１０６）１／２＝１．３５６×１０−３２Ｊｍ×１０３＝１．３５６×１０−２９Ｊｍ
この場の１原子でできる引力＝１．２３３×１０−４１Ｊｍ×（１０６）１／２×１．１×１０９公転＝１．２３３×１０−４１Ｊｍ×１０３×１．１×１０９公転＝１．３５６×１０−２９Ｊｍ
・太陽の深さが１０４Ｋｍでは、温度は１０５℃です。
この場の１原子でできる引力＝１．３５６×１０−３２Ｊｍ×（１０５）１／２＝１．３５６×１０−３２Ｊｍ×３．１６２×１０２＝４．２８８×１０−３０Ｊｍ
この場の１原子でできる引力＝１．２３３×１０−４１Ｊｍ×（１０５）１／２×１．１×１０９公転＝１．２３３×１０−４１Ｊｍ×３．１６２×１０３×１．１×１０９公転＝４．２８９×１０−３０Ｊｍ
・太陽の深さが１０３Ｋｍでは、温度は１０４℃です。
この場の１原子でできる引力＝１．３５６×１０−３２Ｊｍ×（１０４）１／２＝１．３５６×１０−３２Ｊｍ×１０２＝１．３５６×１０−３０Ｊｍ
この場の１原子でできる引力＝１．２３３×１０−４１Ｊｍ×（１０４）１／２×１．１×１０９公転＝１．２３３×１０−４１Ｊｍ×１０２×１．１×１０９公転＝１．３５６×１０−３０Ｊｍ
・太陽の深さが４×１０２Ｋｍでは、温度は６．４×１０３℃です。
この場の１原子でできる引力＝１．３５６×１０−３２Ｊｍ×（６．４×１０３）１／２＝１．３５６×１０−３２Ｊｍ×８０＝１．０８５×１０−３０Ｊｍ
この場の１原子でできる引力＝１．２３３×１０−４１Ｊｍ×（６．４×１０３）１／２×１．１×１０９公転＝１．２３３×１０−４１Ｊｍ×８０×１．１×１０９公転＝１．０８５×１０−３０Ｊｍ
・太陽の深さが１Ｋｍでは、温度は４．３×１０３℃です。
この場の１原子でできる引力＝１．３５６×１０−３２Ｊｍ×（４．３×１０３）１／２＝１．３５６×１０−３２Ｊｍ×６５．５７４＝８．８９２×１０−３１Ｊｍ
この場の１原子でできる引力＝１．２３３×１０−４１Ｊｍ×（４．３×１０３）１／２×１．１×１０９公転＝１．２３３×１０−４１Ｊｍ×６５．５７４×１．１×１０９公転＝８．８９４×１０−３１Ｊｍ
６．熱エネルギーとは何か。電子のラブが何回公転してできるか。
熱エネルギーはラブが公転する事によってできる電気の光子のエネルギーです。
地上の温度を１℃とします。
地上の温度は、電子のラブが作る電気の光子のエネルギーである。
私は、熱となる電気の光子のエネルギーは、３．０６７×１０１０公転でできると考えてきた。
これは、１公転でできる電気の光子のエネルギーは、１．１６４×１０−３１Ｊであるからです。
熱になる電気の光子のエネルギーは、３．０６７×１０１０公転×１．１６４×１０−３１Ｊ＝３．５７×１０−２１Ｊ＝１℃です。
しかし、問題が発生しました。
この１公転でできる電気の光子の公転軌道は、１．０５８３６×１０−１０ｍです。
熱に成る遠赤外線の電気の光子の波長は約１０−５ｍです。
熱になる遠赤外線の電気の光子の波長を１０−５ｍとする。
熱になる電気の光子１個のエネルギーはいくらか。
電子のラブが１公転でできる電気の光子のエネルギーの式は、１．２３３×１０−４１Ｊｍ÷公転軌道  ですから、熱になる電気の光子１個のエネルギーは、
１．２３３×１０−４１Ｊｍ÷公転軌道＝１．２３３×１０−４１Ｊｍ÷（１０−５ｍ÷２）＝２．４６６×１０−３６Ｊです。
熱になる電気の光子のエネルギーは、何個の電気の光子のエネルギーか。
１℃＝２７４Ｋ＝２７４×１．３８×１０−２３Ｊ＝３．７８１２×１０−２１Ｊ
熱になる電気の光子のエネルギー÷電気の光子１個のエネルギー＝３．７８１２×１０−２１Ｊ÷（２．４６６×１０−３６Ｊ）＝１．５３３×１０１５個
熱になる電気の光子のエネルギーは、１．５３３×１０１５個の電気の光子のエネルギーです。
これは何秒間にできる電気の光子のエネルギーか。
１秒間にできる電気の光子のエネルギーは、（７．９６×１０７）２個＝６．３３６×１０１５個ですから、１．５３３×１０１５個÷（６．３３６×１０１５個）＝０．２４２
０．２４２秒間にできる電気の光子のエネルギーです。
この計算によって、熱になる遠赤外線は、電子のラブが１秒間に作った電気の光子が約１０−５ｍの波長になったものである事が理解できた。
熱は、電子のラブが１秒間に作った電気の光子が遠赤外線の波長になった時できるエネルギーである。
７．地上の熱は１℃で、電子のラブが１秒間に作った電気の光子が遠赤外線の波長になってできた熱エネルギーである。熱になる遠赤外線の波長はいくらか。
軌道をｘｍとします。波長は０．５ｘｍです。
この遠赤外線のエネルギーは、
１．２３３×１０−４１Ｊｍ÷公転軌道＝１．２３３×１０−４１Ｊｍ÷ｘｍです。
電子のラブは１秒間に、（７．９６×１０７）２個＝６．３３６×１０１５個の電気の光子を作りますから、
１秒間に熱になる遠赤外線のエネルギーは、６．３３６×１０１５個×１．２３３×１０−４１Ｊｍ÷ｘｍです
１秒間に熱になる遠赤外線のエネルギーは１℃＝２７４Ｋ＝２７４×１．３８×１０−２３Ｊ＝３．７８１２×１０−２１Ｊですから、
６．３３６×１０１５個×１．２３３×１０−４１Ｊｍ÷ｘｍ＝３．７８１２×１０−２１Ｊ
ｘｍ＝６．３３６×１０１５個×１．２３３×１０−４１Ｊｍ÷（３．７８１２×１０−２１Ｊ）＝２．０６６×１０−５ｍ
熱になる遠赤外線の軌道は、２．０６６×１０−５ｍです。
熱になる遠赤外線の波長は、４．１３２×１０−５ｍです。
熱とは、電子のラブが１秒間に作る６．３３６×１０１５個の電気の光子の波長が４．１３２×１０−５ｍになった時できる熱エネルギーです。
地上の熱エネルギーは１℃＝３．７８１２×１０−２１Ｊであり、この熱エネルギーは、電子のラブが１秒間公転して作った６．３３６×１０１５個の電気の光子が、波長を４．１３２×１０−５ｍにした時できる熱エネルギーです。
・陽子のラブが作る電気の光子のエネルギーについて。
陽子のラブは１公転で、１．１６４×１０−３１Ｊの電気の光子を作ります。しかし、その光子の軌道が電子のラブの軌道になったとき、１８３６倍になり、エネルギーは１８３６分の１に成ります。
そして、１秒間の公転数は、４．３４×１０４×７．９６×１０７＝３．４５５×１０１２公転ですから、
公転数は、６．３３６×１０１５公転÷（３．４５５×１０１２公転）＝１８３４分の１です。
それで、陽子のラブが１秒間に作る電気の光子のエネルギーは、電子のラブが１秒間に作る電気の光子のエネルギーの（１．８３４×１０３）２＝３．３６６×１０６分の１です。
よって、１原子が作る熱エネルギーは、電子のラブが作ると考えてよい。
熱エネルギーは、電子のラブが公転して作った電気の光子が遠赤外線の波長になったとき現れるエネルギーです。
熱エネルギーの波長が４．１３２×１０−５ｍの場合は、電子のラブが１秒間公転して作った電気の光子のエネルギーです。
この事によって、熱エネルギーは相殺によって残っている電気の光子のエネルギーではない事が理解できた。
８．１℃は電子のラブが何回公転してできるか。
・熱と成る電気の光子の軌道をＡｍとします。熱と成る電気の光子の波長は、２Ａｍです。
この熱と成る電気の光子のエネルギーは、１．２３３×１０−４１Ｊｍ÷Ａｍです。
電子のラブが１公転してできる熱と成る電気の光子のエネルギーは、
１．２３３×１０−４１Ｊｍ÷Ａｍです。
１℃は電子のラブが何回公転してできるか。
１℃＝２７４Ｋ＝２７４×１．３８×１０−２３Ｊ＝３．７８１２×１０−２１Ｊ
１℃を作る電子のラブの公転数＝１℃のエネルギー÷電子のラブが１公転してできる熱と成る電気の光子のエネルギー＝３．７８１２×１０−２１Ｊ÷（１．２３３×１０−４１Ｊｍ÷Ａｍ）＝３．０６７×１０２０×Ａ回。
１℃は、熱と成る電気の光子の波長が２Ａｍの場合、電子のラブが３．０６７×１０２０×Ａ回公転してできる。
・もし、１秒間にできる電気の光子が熱エネルギーに成ると仮定しますと、熱エネルギーになる電気の光子の軌道はいくらか。波長はいくらか。
１℃を作る電子のラブの公転数＝１℃のエネルギー÷電子のラブが１公転してできる熱と成る電気の光子のエネルギー
電子のラブの１秒間の公転数＝３．７８１２×１０−２１Ｊ÷（１．２３３×１０−４１Ｊｍ÷軌道ｍ）
（７．９６×１０７）２回＝３．０６７×１０２０×軌道回
軌道＝（７．９６×１０７）２÷（３．０６７×１０２０）＝２．０６６×１０−５（ｍ）
熱と成る電気の光子の軌道は、２．０６６×１０−５ｍです。波長は、２．０６６×１０−５ｍ×２＝４．１３２×１０−５ｍです。
熱と成る電気の光子の軌道が、２．０６６×１０−５ｍの場合、１公転でできる電気の光子が作る熱エネルギーはいくらか。
１公転でできる電気の光子が作る熱エネルギー＝１．２３３×１０−４１Ｊｍ÷（２．０６６×１０−５ｍ）＝５．９６８×１０−３７Ｊ
１公転でできる電気の光子が作る熱エネルギーは、５．９６８×１０−３７Ｊです。
１秒間にできる熱エネルギーは、
１公転でできる電気の光子が作る熱エネルギー×１秒間の公転数＝５．９６８×１０−３７Ｊ×（７．９６×１０７）２＝３．７８１×１０−２１Ｊ＝１℃です。
遠赤外線である熱と成る電気の光子の波長が４．１３２×１０−５ｍの場合、熱は電子のラブが１秒間公転して作る電気の光子によってできる。
熱と成る電気の光子の波長が４．１３２×１０−５ｍの場合、電子のラブが１秒間に作った（７．９６×１０７）２個の電気の光子が波長４．１３２×１０−５ｍになると、１℃の熱エネルギーになる。
９．１Ｋは電子のラブが何回公転してできるか。
・熱と成る電気の光子の軌道をＡｍとします。熱と成る電気の光子の波長は、２Ａｍです。
この熱と成る電気の光子のエネルギーは、１．２３３×１０−４１Ｊｍ÷Ａｍです。
電子のラブが１公転してできる熱と成る電気の光子のエネルギーは、１．２３３×１０−４１Ｊｍ÷Ａｍです。
１Ｋは電子のラブが何回公転してできるか。
１Ｋ＝１．３８×１０−２３Ｊ
１Ｋを作る電子のラブの公転数＝１Ｋのエネルギー÷電子のラブが１公転してできる熱と成る電気の光子のエネルギー＝１．３８×１０−２３Ｊ÷（１．２３３×１０−４１Ｊｍ÷Ａｍ）＝１．１１９×１０１８×Ａ回。
１Ｋは、熱と成る電気の光子の波長が２Ａｍの場合、電子のラブが１．１１９×１０１８×Ａ回公転してできる電気の光子が自分の波長を２Ａｍにする時できる熱エネルギーです。
・もし、熱と成る電気の光子の波長が４．１３２×１０−５ｍであるとするならば、１Ｋは電子のラブが何回公転して作った電気の光子が熱エネルギーになったものか。
熱と成る電気の光子の軌道が、２．０６６×１０−５ｍの場合、１公転でできる電気の光子が作る熱エネルギーは、
１公転でできる電気の光子が作る熱エネルギー＝１．２３３×１０−４１Ｊｍ÷（２．０６６×１０−５ｍ）＝５．９６８×１０−３７Ｊです。
１Ｋは電子のラブが何回公転して作る電気の光子のエネルギーか。
１Ｋ÷１公転でできる電気の光子が作る熱エネルギー＝１．３８×１０−２３Ｊ÷（５．９６８×１０−３７Ｊ）＝２．３１２×１０１３回
又、Ａｍ＝２．０６６×１０−５ｍですから、
１Ｋを作る電子のラブの公転数＝１．１１９×１０１８×Ａ回＝１．１１９×１０１８×２．０６６×１０−５回＝２．３１２×１０１３回
１Ｋは電子のラブが２．３１２×１０１３回公転してできる２．３１２×１０１３個の電気の光子が４．１３２×１０−５ｍの波長になったときできる熱エネルギーです。
１０．地球の中や太陽の中で、熱はどのようにできたものか。
電子のラブの公転によってできた電気の光子は遠赤外線の波長になると一定の熱エネルギーを発します。
その場の熱エネルギーは、その場の一定の距離（例えば１０−１０ｍ）に存在する電子のラブの数に比例します。
電子のラブの公転軌道が小さい程、その場の一定の距離（例えば１０−１０ｍ）に存在する電子のラブの数は多く、電子のラブの数が多いほど、電子のラブが作る電気の光子の数が多くなり、その場の熱エネルギーは大きくなる。
例えば、地上では、電子のラブの公転軌道は１．０５８×１０−１０ｍで、１．０５８×１０−１０ｍに１個の電子のラブが存在し、この電子のラブが１秒間に作る熱エネルギーは１℃です。
地下で、電子のラブの公転軌道が１．０５８×１０−１１ｍの場では、１．０５８×１０−１０ｍに１０個の電子のラブが存在し、この電子のラブが１秒間に作る熱エネルギーは１０℃になります。この場の温度は１０２℃＝１００℃です。
それで、温度がＡ２℃の場では、
電子のラブの公転軌道は、１．０５８×１０−１０ｍ÷Ａです。
１．０５８×１０−１０ｍの中に、Ａ個の電子のラブがあります。
それで、この場でできる熱エネルギーは、地上でできる熱エネルギー（１℃）のＡ倍です。
これは、Ａ個の電子のラブが１秒間に、Ａ×（７．９６×１０７）２個の電気の光子を作り、この電気の光子が４．１３２×１０−５ｍの波長になったとき、熱エネルギーに成るからです。
１秒間にできる熱エネルギー＝電子のラブの数×１電子のラブが１秒間に作る電気の光子の数×１個の電気の光子の熱エネルギー＝Ａ×（７．９６×１０７）２個×１．２３３×１０−４１Ｊｍ÷（２．０６６×１０−５ｍ）＝Ａ×３．７８１４×１０−２１Ｊ＝Ａ×１℃＝Ａ℃      この場の温度は、Ａ２℃です。
１１．地球の地下における熱エネルギーはどのようにできるか。
・地下６５００Ｋｍでは、温度は７３２７℃です。
この場では、電子のラブの公転軌道＝１．０５８×１０−１０ｍ÷７３２７１／２＝１．０５８×１０−１０ｍ÷８５．６
１．０５８×１０−１０ｍに、８５．６個の電子のラブが存在する。
８５．６個の電子のラブが１秒間公転して作る電気の光子の数は、８５．６×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
８５．６×（７．９６×１０７）２個×１．２３３×１０−４１Ｊｍ÷（２．０６６×１０−５ｍ）＝８５．６×３．７８１４×１０−２１Ｊ＝８５．６×１℃＝８５．６℃です。
この場の温度は、８５．６２℃＝７３２７℃です。
・地下６０００Ｋｍでは、温度は６０００℃です。
この場では、電子のラブの公転軌道＝１．０５８×１０−１０ｍ÷６０００１／２＝１．０５８×１０−１０ｍ÷７７．４６
１．０５８×１０−１０ｍに、７７．４６個の電子のラブが存在する。
７７．４６個の電子のラブが１秒間公転して作る電気の光子の数は、７７．４６×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
７７．４６×（７．９６×１０７）２個×１．２３３×１０−４１Ｊｍ÷（２．０６６×１０−５ｍ）＝７７．４６×３．７８１４×１０−２１Ｊ＝７７．４６×１℃＝７７．４６℃です。
この場の温度は、７７．４６２℃＝６０００℃です。
・地下５０００Ｋｍでは、温度は５０００℃です。
この場では、電子のラブの公転軌道＝１．０５８×１０−１０ｍ÷５０００１／２＝１．０５８×１０−１０ｍ÷７０．７１
１．０５８×１０−１０ｍに、７０．７１個の電子のラブが存在する。
７０．７１個の電子のラブが１秒間公転して作る電気の光子の数は、８５．６×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
７０．７１×（７．９６×１０７）２個×１．２３３×１０−４１Ｊｍ÷（２．０６６×１０−５ｍ）＝７０．７１×３．７８１４×１０−２１Ｊ＝７０．７１×１℃＝７０．７１℃です。
この場の温度は、７０．７１２℃＝５０００℃です。
・地下４０００Ｋｍでは、温度は４０００℃です。
この場では、電子のラブの公転軌道＝１．０５８×１０−１０ｍ÷４０００１／２＝１．０５８×１０−１０ｍ÷６３．２５
１．０５８×１０−１０ｍに、６３．２５個の電子のラブが存在する。
６３．２５個の電子のラブが１秒間公転して作る電気の光子の数は、６３．２５×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
６３．２５×（７．９６×１０７）２個×１．２３３×１０−４１Ｊｍ÷（２．０６６×１０−５ｍ）＝６３．２５×３．７８１４×１０−２１Ｊ＝６３．２５×１℃＝６３．２５℃です。
この場の温度は、６３．２５２℃＝４０００℃です。
・地下３０００Ｋｍでは、温度は３０００℃です。
この場では、電子のラブの公転軌道＝１．０５８×１０−１０ｍ÷３０００１／２＝１．０５８×１０−１０ｍ÷５４．７７
１．０５８×１０−１０ｍに、５４．７７個の電子のラブが存在する。
５４．７７個の電子のラブが１秒間公転して作る電気の光子の数は、５４．７７×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
５４．７７×（７．９６×１０７）２個×１．２３３×１０−４１Ｊｍ÷（２．０６６×１０−５ｍ）＝５４．７７×３．７８１４×１０−２１Ｊ＝５４．７７×１℃＝５４．７７℃です。
この場の温度は、５４．７７２℃＝３０００℃です。
・地下２０００Ｋｍでは、温度は２０００℃です。
この場では、電子のラブの公転軌道＝１．０５８×１０−１０ｍ÷２０００１／２＝１．０５８×１０−１０ｍ÷４４．７２
１．０５８×１０−１０ｍに、４４．７２個の電子のラブが存在する。
４４．７２個の電子のラブが１秒間公転して作る電気の光子の数は、４４．７２×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
４４．７２×（７．９６×１０７）２個×１．２３３×１０−４１Ｊｍ÷（２．０６６×１０−５ｍ）＝４４．７２×３．７８１４×１０−２１Ｊ＝４４．７２×１℃＝４４．７２℃です。
この場の温度は、４４．７２２℃＝２０００℃です。
・地下１０００Ｋｍでは、温度は１０００℃です。
この場では、電子のラブの公転軌道＝１．０５８×１０−１０ｍ÷１０００１／２＝１．０５８×１０−１０ｍ÷３１．６２３
１．０５８×１０−１０ｍに、３１．６２３個の電子のラブが存在する。
３１．６２３個の電子のラブが１秒間公転して作る電気の光子の数は、３１．６２３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３１．６２３×（７．９６×１０７）２個×１．２３３×１０−４１Ｊｍ÷（２．０６６×１０−５ｍ）＝３１．６７２×３．７８１４×１０−２１Ｊ＝３１．６７２×１℃＝３１．６７２℃です。
この場の温度は、３１．６７２２℃＝１００３℃です。
１２．太陽の深さにおける熱エネルギーはどのようにできるか。
・太陽の深さが７×１０６Ｋｍと６×１０６Ｋｍでは、温度は１５×１０６℃です。
この場では、電子のラブの公転軌道＝１．０５８×１０−１０ｍ÷（１５×１０６）１／２＝１．０５８×１０−１０ｍ÷（３．８７３×１０３）
１．０５８×１０−１０ｍに、３．８７３×１０３個の電子のラブが存在する。
３．８７３×１０３個の電子のラブが１秒間公転して作る電気の光子の数は、３．８７３×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３．８７３×１０３×（７．９６×１０７）２個×１．２３３×１０−４１Ｊｍ÷（２．０６６×１０−５ｍ）＝３．８７３×１０３×３．７８１４×１０−２１Ｊ＝３．８７３×１０３×１℃＝３．８７３×１０３℃です。
この場の温度は、（３．８７３×１０３）２℃＝１５×１０６℃です。
・太陽の深さが５×１０５Ｋｍでは、温度は１１．７５×１０６℃です。
この場では、電子のラブの公転軌道＝１．０５８×１０−１０ｍ÷（１１．７５×１０６）１／２＝１．０５８×１０−１０ｍ÷（３．４２８×１０３）
１．０５８×１０−１０ｍに、３．４２８×１０３個の電子のラブが存在する。
３．４２８×１０３個の電子のラブが１秒間公転して作る電気の光子の数は、３．４２８×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３．４２８×１０３×（７．９６×１０７）２個×１．２３３×１０−４１Ｊｍ÷（２．０６６×１０−５ｍ）＝３．４２８×１０３×３．７８１４×１０−２１Ｊ＝３．４２８×１０３×１℃＝３．４２８×１０３℃です。
この場の温度は、（３．４２８×１０３）２℃＝１１．７５×１０６℃です。
・太陽の深さが４×１０５Ｋｍでは、温度は８．５×１０６℃です。
この場では、電子のラブの公転軌道＝１．０５８×１０−１０ｍ÷（８．５×１０６）１／２＝１．０５８×１０−１０ｍ÷（２．９１５×１０３）
１．０５８×１０−１０ｍに、２．９１５××１０３個の電子のラブが存在する。
２．９１５×１０３個の電子のラブが１秒間公転して作る電気の光子の数は、２．９１５×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
２．９１５×１０３×（７．９６×１０７）２個×１．２３３×１０−４１Ｊｍ÷（２．０６６×１０−５ｍ）＝１２．９１５×１０３×３．７８１４×１０−２１Ｊ＝２．９１５×１０３×１℃＝２．９１５×１０３℃です。
この場の温度は、（２．９１５×１０３）２℃＝８．５×１０６℃です。
・太陽の深さが３×１０５Ｋｍでは、温度は５．２５×１０６℃です。
この場では、電子のラブの公転軌道＝１．０５８×１０−１０ｍ÷（５．２５×１０６）１／２＝１．０５８×１０−１０ｍ÷（２．２９１×１０３）
１．０５８×１０−１０ｍに、２．２９１×１０３個の電子のラブが存在する。
２．２９１×１０３個の電子のラブが１秒間公転して作る電気の光子の数は、２．２９１×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
２．２９１×１０３×（７．９６×１０７）２個×１．２３３×１０−４１Ｊｍ÷（２．０６６×１０−５ｍ）＝２．２９１×１０３×３．７８１４×１０−２１Ｊ＝２．２９１×１０３×１℃＝２．２９１×１０３℃です。
この場の温度は、（２．２９１×１０３）２℃＝５．２５×１０６℃です。
・太陽の深さが２×１０５Ｋｍでは、温度は２×１０６℃です。
この場では、電子のラブの公転軌道＝１．０５８×１０−１０ｍ÷（２×１０６）１／２＝１．０５８×１０−１０ｍ÷（１．４１４×１０３）
１．０５８×１０−１０ｍに、１．４１４×１０３個の電子のラブが存在する。
１．４１４×１０３個の電子のラブが１秒間公転して作る電気の光子の数は、１．４１４×１０３×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
１．４１４×１０３×（７．９６×１０７）２個×１．２３３×１０−４１Ｊｍ÷（２．０６６×１０−５ｍ）＝１．４１４×１０３×３．７８１４×１０−２１Ｊ＝１．４１４×１０３×１℃＝１．４１４×１０３℃です。
この場の温度は、（１．４１４×１０３）２℃＝２×１０６℃です。
・太陽の深さが１０５Ｋｍでは、温度は１０６℃です。
この場では、電子のラブの公転軌道＝１．０５８×１０−１０ｍ÷（１０６）１／２＝１．０５８×１０−１０ｍ÷１０３
１．０５８×１０−１０ｍに、１０３個の電子のラブが存在する。
１０３個の電子のラブが１秒間公転して作る電気の光子の数は、１０３×（７．９６×１０７）２個です。
これらの電気の光子が遠赤外線の波長になったとき、熱エネルギーを発する。
遠赤外線の波長を２×２．０６６×１０−５ｍとすると、１秒間にできる熱エネルギーは、
１０３×（７．９６×１０７）２個×１．２３３×１０−４１Ｊｍ÷（２．０６６×１０−５ｍ）＝１０３×３．７８１４×１０−２１Ｊ＝１０３×１℃＝１０３℃です。
この場の温度は、（１０３）２℃＝１０６℃です。
・太陽の深さが１０４Ｋｍでは、温度は１０５℃です。
この場では、電子のラブの公転軌道＝１．０５８×１０−１０ｍ÷（１０５）１／２＝１．０５８×１０−１０ｍ÷（３．１６２×１０２）
１．０５８×１０−１０ｍに、３．１６２×１０２個の電子のラブが存在する。
３．１６２×１０２個の電子のラブが１秒間公転して作る電気の光子の数は、３．１６２×１０２×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
３．１６２×１０２×（７．９６×１０７）２個×１．２３３×１０−４１Ｊｍ÷（２．０６６×１０−５ｍ）＝３．１６２×１０２×３．７８１４×１０−２１Ｊ＝３．１６２×１０２×１℃＝３．１６２×１０２℃です。
この場の温度は、（３．１６２×１０２）２℃＝１０５℃です。
・太陽の深さが１０３Ｋｍでは、温度は１０４℃です。
この場では、電子のラブの公転軌道＝１．０５８×１０−１０ｍ÷（１０４）１／２＝１．０５８×１０−１０ｍ÷１０２
１．０５８×１０−１０ｍに、１０２個の電子のラブが存在する。
１０２個の電子のラブが１秒間公転して作る電気の光子の数は、１０２×（７．９６×１０７）２個です。
これらの電気の光子が遠赤外線の波長になったとき、熱エネルギーを発する。
遠赤外線の波長を２×２．０６６×１０−５ｍとすると、１秒間にできる熱エネルギーは、
１０２×（７．９６×１０７）２個×１．２３３×１０−４１Ｊｍ÷（２．０６６×１０−５ｍ）＝１０２×３．７８１４×１０−２１Ｊ＝１０２×１℃＝１０２℃です。
この場の温度は、（１０２）２℃＝１０４℃です。
・太陽の深さが４×１０２Ｋｍでは、温度は６．４×１０３℃です。
この場では、電子のラブの公転軌道＝１．０５８×１０−１０ｍ÷（６．４×１０３）１／２＝１．０５８×１０−１０ｍ÷８０
１．０５８×１０−１０ｍに、８０個の電子のラブが存在する。
８０個の電子のラブが１秒間公転して作る電気の光子の数は、８０×（７．９６×１０７）２個です。
これらの電気の光子が遠赤外線の波長になったとき、熱エネルギーを発する。
遠赤外線の波長を２×２．０６６×１０−５ｍとすると、１秒間にできる熱エネルギーは、
８０×（７．９６×１０７）２個×１．２３３×１０−４１Ｊｍ÷（２．０６６×１０−５ｍ）＝８０×３．７８１４×１０−２１Ｊ＝８０×１℃＝８０℃です。
この場の温度は、（８０）２℃＝６．４×１０３℃です。
・太陽の深さが１Ｋｍでは、温度は４．３×１０３℃です。
この場では、電子のラブの公転軌道＝１．０５８×１０−１０ｍ÷（４．３×１０３）１／２＝１．０５８×１０−１０ｍ÷６５．５７４
１．０５８×１０−１０ｍに、６５．５７４個の電子のラブが存在する。
６５．５７４個の電子のラブが１秒間公転して作る電気の光子の数は、６５．５７４×（７．９６×１０７）２個です。これらの電気の光子が遠赤外線の波長になったとき、熱エネルギーを発する。
遠赤外線の波長を２×２．０６６×１０−５ｍとすると、１秒間にできる熱エネルギーは、
６５．５７４×（７．９６×１０７）２個×１．２３３×１０−４１Ｊｍ÷（２．０６６×１０−５ｍ）＝６５．５７４×３．７８１４×１０−２１Ｊ＝６５．５７４×１℃＝６５．５７４℃です。
この場の温度は、６５．５７４２℃＝４．３×１０３℃です。
地下における引力と温度のまとめ。
2007274888.tif 000003
太陽における引力と温度のまとめ。
2007274888.tif 000004
１３．電子のラブの秒速を求める式。
電子のラブの秒速＝３．１４×電子のラブの公転軌道×１秒間の公転数＝３．１４×電子のラブの公転軌道×（７．９６×１０７）２＝１．９９０×１０１６×電子のラブの公転軌道
電子のラブの秒速＝３．１４×電子のラブの公転軌道×１秒間の公転数＝３．１４×８．６６５×１０−２４Ｊｍ÷電子のラブのエネルギー×（７．９６×１０７）２＝１．７２４×１０１６÷電子のラブのエネルギー
▲１▼１自転で作る磁気の光子のエネルギー＝１．５４９×１０−４９Ｊｍ÷電子のラブの公転軌道
電子のラブの公転軌道＝１．５４９×１０−４９Ｊｍ÷１自転で作る磁気の光子のエネルギー
▲２▼１公転で作る磁気の光子のエネルギー＝１．２３３×１０−４１Ｊｍ÷電子のラブの公転軌道
電子のラブの公転軌道＝１．２３３×１０−４１Ｊｍ÷１公転で作る磁気の光子のエネルギー
▲３▼１秒間に作る磁気の光子のエネルギー＝７．８１５×１０−２６Ｊｍ÷電子のラブの公転軌道
電子のラブの公転軌道＝７．８１５×１０−２６Ｊｍ÷１秒間に作る磁気の光子のエネルギー
▲１▼から、
電子のラブの秒速＝３．１４×電子のラブの公転軌道×１秒間の公転数＝３．１４×１．５４９×１０−４９Ｊｍ÷１自転で作る磁気の光子のエネルギー×（７．９６×１０７）２＝３．０８２×１０−３３Ｊｍ÷１自転で作る磁気の光子のエネルギー
▲２▼から、
電子のラブの秒速＝３．１４×電子のラブの公転軌道×１秒間の公転数＝３．１４×１．２３３×１０−４１Ｊｍ÷１公転で作る磁気の光子のエネルギー×（７．９６×１０７）２＝２．４５３×１０−２５Ｊｍ÷１公転で作る磁気の光子のエネルギー
▲３▼から、
電子のラブの秒速＝３．１４×電子のラブの公転軌道×１秒間の公転数＝３．１４×７．８１５×１０−２６Ｊｍ÷１秒間に作る磁気の光子のエネルギー×（７．９６×１０７）２＝１．５５５×１０−９Ｊｍ÷１秒間に作る磁気の光子のエネルギー
よって、電子のラブの秒速は次の式によって求められる。
電子のラブの秒速＝１．９９０×１０１６×電子のラブの公転軌道
電子のラブの秒速＝１．７２４×１０１６÷電子のラブのエネルギー
電子のラブの秒速＝３．０８２×１０−３３Ｊｍ÷１自転で作る磁気の光子のエネルギー
電子のラブの秒速＝２．４５３×１０−２５Ｊｍ÷１公転で作る磁気の光子のエネルギー
電子のラブの秒速＝１．５５５×１０−９Ｊｍ÷１秒間に作る磁気の光子のエネルギー
この式により理解できる事。
電子のラブの秒速は、電子のラブの公転軌道に比例する。
電子のラブの秒速は、電子のラブのエネルギーに反比例する。
電子のラブの秒速は、磁気の光子のエネルギーに反比例する。
磁気の光子のエネルギー＝電気の光子のエネルギーですから、
電子のラブの秒速は、電気の光子のエネルギーに反比例する。
１４．陽子のラブの秒速を求める式。
陽子のラブの秒速＝３．１４×陽子のラブの公転軌道×１秒間の公転数＝３．１４×陽子のラブの公転軌道×４．３４×１０４×７．９６×１０７＝１．０８５×１０１３×陽子のラブの公転軌道
陽子のラブの秒速＝３．１４×陽子のラブの公転軌道×１秒間の公転数＝３．１４×８．６６５×１０−２４Ｊｍ÷陽子のラブのエネルギー×４．３４×１０４×７．９６×１０７＝９．３９９×１０−１１÷陽子のラブのエネルギー
▲１▼１自転で作る磁気の光子のエネルギー＝１．５４９×１０−４９Ｊｍ÷陽子のラブの公転軌道
陽子のラブの公転軌道＝１．５４９×１０−４９Ｊｍ÷１自転で作る磁気の光子のエネルギー
▲２▼１公転で作る磁気の光子のエネルギー＝６．７２４×１０−４５Ｊｍ÷陽子のラブの公転軌道
陽子のラブの公転軌道＝６．７２４×１０−４５Ｊｍ÷１公転で作る磁気の光子のエネルギー
▲３▼１秒間に作る磁気の光子のエネルギー＝２．３２３×１０−３２Ｊｍ÷陽子のラブの公転軌道
陽子のラブの公転軌道＝２．３２３×１０−３２Ｊｍ÷１秒間に作る磁気の光子のエネルギー
▲１▼より、
陽子のラブの秒速＝３．１４×陽子のラブの公転軌道×１秒間の公転数＝３．１４×１．５４９×１０−４９Ｊｍ÷１自転で作る磁気の光子のエネルギー×４．３４×１０４×７．９６×１０７＝１．６８０×１０−３６Ｊｍ÷１自転で作る磁気の光子のエネルギー
▲２▼より、
陽子のラブの秒速＝３．１４×陽子のラブの公転軌道×１秒間の公転数＝３．１４×６．７２４×１０−４５Ｊｍ÷１公転で作る磁気の光子のエネルギー×４．３４×１０４×７．９６×１０７＝７．２９４×１０−３２Ｊｍ÷１公転で作る磁気の光子のエネルギー
▲３▼より、
陽子のラブの秒速＝３．１４×陽子のラブの公転軌道×１秒間の公転数＝３．１４×２．３２３×１０−３２Ｊｍ÷１秒間に作る磁気の光子のエネルギー×４．３４×１０４×７．９６×１０７＝＝２．５２０×１０−１９Ｊｍ÷１秒間に作る磁気の光子のエネルギー
よって、陽子のラブの秒速は次の式によって求められる。
陽子のラブの秒速＝１．０８５×１０１３×陽子のラブの公転軌道
陽子のラブの秒速＝９．３９９×１０−１１÷陽子のラブのエネルギー
陽子のラブの秒速＝１．６８０×１０−３６Ｊｍ÷１自転で作る磁気の光子のエネルギー
陽子のラブの秒速＝７．２９４×１０−３２Ｊｍ÷１公転で作る磁気の光子のエネルギー
陽子のラブの秒速＝２．５２０×１０−１９Ｊｍ÷１秒間に作る磁気の光子のエネルギー
この式により理解できる事。
陽子のラブの秒速は、陽子のラブの公転軌道に比例する。
陽子のラブの秒速は、陽子のラブのエネルギーに反比例する。
陽子のラブの秒速は、磁気の光子のエネルギーに反比例する。
磁気の光子のエネルギー＝電気の光子のエネルギーですから、
陽子のラブの秒速は、電気の光子のエネルギーに反比例する。
１５．電子のラブの公転軌道を求める式。
電子のラブの公転軌道＝８．６６５×１０−２４Ｊｍ÷電子のラブのエネルギー
電子のラブの秒速＝１．９９０×１０１６×電子のラブの公転軌道
電子のラブの公転軌道＝電子のラブの秒速÷（１．９９０×１０１６）＝５．０２５×１０−１７×電子のラブの秒速
電子のラブの公転軌道＝１．５４９×１０−４９Ｊｍ÷１自転で作る磁気の光子のエネルギー
電子のラブの公転軌道＝１．２３３×１０−４１Ｊｍ÷１公転でできる磁気の光子のエネルギー
電子のラブの公転軌道＝７．８１５×１０−２６Ｊｍ÷１秒間にできる磁気の光子のエネルギー
電子のラブの公転軌道＝１．０５８×１０−１０ｍ÷温度１／２（温度がマイナスの場合は、×温度１／２）
この式により理解できる事。
電子のラブの公転軌道は、電子のラブのエネルギーに反比例する。
電子のラブの公転軌道は、磁気の光子のエネルギーに反比例する。
磁気の光子のエネルギー＝電気の光子のエネルギーですから、
電子のラブの公転軌道は、電気の光子のエネルギーに反比例する。
電子のラブの公転軌道は、電子のラブの秒速に比例する。
電子のラブの公転軌道は、温度１／２に反比例する。
１６．陽子のラブの公転軌道を求める式。
陽子のラブの公転軌道＝８．６６５×１０−２４Ｊｍ÷陽子のラブのエネルギー
陽子のラブの秒速＝１．０８５×１０１３×陽子のラブの公転軌道
陽子のラブの公転軌道＝陽子のラブの秒速÷（１．０８５×１０１３）＝９．２１７×１０−１４×陽子のラブの秒速
陽子のラブの公転軌道＝１．５４９×１０−４９Ｊｍ÷１自転で作る磁気の光子のエネルギー
陽子のラブの公転軌道＝６．７２４×１０−４５Ｊｍ÷１公転で作る磁気の光子のエネルギー
陽子のラブの公転軌道＝２．３２３×１０−３２Ｊｍ÷１秒間に作る磁気の光子のエネルギー
陽子のラブの公転軌道＝５．７６４×１０−１４ｍ÷温度１／２（温度がマイナスの場合は、×温度１／２）
この式により理解できる事。
陽子のラブの公転軌道は、陽子のラブのエネルギーに反比例する。
陽子のラブの公転軌道は、磁気の光子のエネルギーに反比例する。
磁気の光子のエネルギー＝電気の光子のエネルギーですから、
陽子のラブの公転軌道は、電気の光子のエネルギーに反比例する。
陽子のラブの公転軌道は、電子のラブの秒速に比例する。
陽子のラブの公転軌道は、温度１／２に反比例する。
１７．電子のラブの最大公転軌道はいくらか。
▲１▼電子のラブの公転軌道を秒速で算出する場合。
電子のラブの秒速＝１．９９０×１０１６×電子のラブの公転軌道
電子のラブの秒速が光速の時、
電子のラブの秒速＝３×１０８ｍ＝１．９９０×１０１６×電子のラブの公転軌道
電子のラブの公転軌道＝３×１０８ｍ÷（１．９９０×１０１６）＝１．５０８×１０−８ｍ
電子のラブの公転軌道が１．５０８×１０−８ｍのとき、電子のラブの秒速は光速となり、直進し、回転はしない。
よって、電子のラブの公転軌道は１．５０８×１０−８ｍより大きく成る事はできない。
これを、「電子のラブの限界公転軌道」と名づける。
秒速から算出した「電子のラブの限界公転軌道」は１．５０８×１０−８ｍです。
▲２▼絶対０℃より算出した場合。
−２７３℃における、電子のラブの公転軌道はいくらか。
電子のラブの公転軌道は、１．０５８×１０−１０ｍ×２７３１／２＝１．７４８×１０−９ｍです。
−２７３℃より低い温度はない。
よって、電子のラブの公転軌道は１．７４８×１０−９ｍより大きく成る事はできない。
これを、「電子のラブの限界公転軌道」と名づける。
温度から算出した「電子のラブの限界公転軌道」は１．７４８×１０−９ｍです。
▲１▼と▲２▼から判断し、「電子のラブの限界公転軌道」は１．７４８×１０−９ｍです。
「電子のラブの限界公転軌道」は１．７４８×１０−９ｍです。
この電子のラブの秒速は、
３．１４×１．７４８×１０−９ｍ×（７．９６×１０７）２公転＝３．４７８×１０７ｍです。
電子のラブは、秒速が３．４７８×１０７ｍに成ると、回転できなくなり、直進する。
１８．陽子のラブの最大公転軌道はいくらか。
▲１▼陽子のラブの公転軌道を秒速で算出する場合。
陽子のラブの秒速＝１．０８５×１０１３×陽子のラブの公転軌道
陽子のラブの秒速が光速の時、
陽子のラブの秒速＝３×１０８ｍ＝１．０８５×１０１３×陽子のラブの公転軌道
陽子のラブの公転軌道＝３×１０８ｍ÷（１．０８５×１０１３）＝２．７６５×１０−５ｍ
陽子のラブの公転軌道が２．７６５×１０−５ｍのとき、陽子のラブの秒速は光速となり、直進し、回転はしない。
よって、陽子のラブの公転軌道は２．７６５×１０−５ｍより大きく成る事はできない。
これを、「陽子のラブの限界公転軌道」と名づける。
秒速から算出した「陽子のラブの限界公転軌道」は２．７６５×１０−５ｍです。
▲２▼絶対０℃より算出した場合。
−２７３℃における、陽子のラブの公転軌道はいくらか。
陽子のラブの公転軌道は、５．７６４×１０−１４ｍ×２７３１／２＝９．５２４×１０−１３ｍです。
−２７３℃より低い温度はない。
よって、陽子のラブの公転軌道は９．５２４×１０−１３ｍより大きく成る事はできない。
これを、「陽子のラブの限界公転軌道」と名づける。
温度から算出した「陽子のラブの限界公転軌道」は９．５２４×１０−１３ｍです。
▲２▼と▲２▼から判断し、「陽子のラブの限界公転軌道」は９．５２４×１０−１３ｍです。
「陽子のラブの限界公転軌道」は９．５２４×１０−１３ｍです。
この陽子のラブの秒速は、
３．１４×９．５２４×１０−１３ｍ×７．９６×１０７×４．３４×１０４公転＝１．０３３×１０ｍです。
陽子のラブは、秒速が１０．３３ｍに成ると、回転できなくなり、直進する。
１９．「電子のラブの限界公転軌道」を超えた電子のラブはどのようになるか。
「電子のラブの限界公転軌道」は、１．７４８×１０−９ｍです。
この電子のラブの秒速は、３．４７８×１０７ｍです。
電子のラブは、秒速が３．４７８×１０７ｍに成ると、回転できなくなり、直進する。
直進する速さは光速です。
よって、超新星爆発で−２７３℃の空間に出た電子のラブは、光速で直進する。この電子のラブがカミオカンデの水槽で水の電子のラブや陽子のラブに衝突したと考えられる。
【発明の効果】
【０００６】次の事が理解できた。
１．太陽でできたニュートリノが地球を通過する事は、電子は隙間だらけであり、陽子も隙間だらけである事を示す。これは電子のラブや陽子のラブの存在を証明する。
２．私は、カミオカンデで捉えられた光は、大マゼラン星雲の超新星爆発によって１６万年前に飛び出した電子のラブが、水の電子のラブや陽子のラブに衝突してできた光ではないかと思います。電子のラブは−２７３℃の空間で、公転軌道が１．７４８×１０−９ｍになり、秒速は３．４７８×１０７ｍになり、直進するように成ります。速度は光速に成ります。この電子のラブがカミオカンデの水の電子のラブや陽子のラブに衝突したと考えられる。
３．引力の１単位は、電子のラブが１公転してできた磁気の光子の輪であり、この１つの公転軌道には７．９６×１０７回自転してできた７．９６×１０７個の磁気の光子がある。
引力の１単位＝磁気の光子の輪の公転軌道×磁気の光子のエネルギー＝公転軌道×１自転でできる磁気の光子のエネルギー×１公転するときの自転数＝１．０５８×１０−１０ｍ×１．４６４×１０−３９Ｊ×７．９６×１０７回自転＝１．２３３×１０−４１Ｊｍ
４．１原子でできる引力と成る磁気の光子の公転軌道エネルギー１．３５６×１０−３２Ｊｍは、１．１×１０９単位（公転）でできる。
５．地球の中や太陽の中でできる引力について。
その場の１原子でできる引力＝地上の１原子でできる引力×温度１／２＝１．３５６×１０−３２Ｊｍ×温度１／２＝１．２３３×１０−４１Ｊｍ×温度１／２×１．１×１０９公転
６．熱は、電子のラブが１秒間に作った電気の光子が遠赤外線の波長になった時できるエネルギーである。
７．地上の熱は１℃で、電子のラブが１秒間に作った電気の光子が遠赤外線の波長になってできた熱エネルギーである。熱になる遠赤外線の波長は４．１３２×１０−５ｍです。
１秒間にできる熱エネルギー＝１電子のラブが１秒間に作る電気の光子の数×１個の電気の光子の熱エネルギー＝（７．９６×１０７）２個×１．２３３×１０−４１Ｊｍ÷（２．０６６×１０−５ｍ）＝３．７８１４×１０−２１Ｊ＝１℃
８．地球の中や太陽の中でできる熱について。
その場の温度がＡ２℃の場では、電子のラブの公転軌道は、１．０５８×１０−１０ｍ÷Ａです。
１．０５８×１０−１０ｍの中に、Ａ個の電子のラブがあります。
それで、この場でできる熱エネルギーは、地上でできる熱エネルギー（１℃）のＡ倍です。
Ａ個の電子のラブが１秒間に作る電気の光子の数は、Ａ×（７．９６×１０７）２個です。
これらの電気の光子が遠赤外線の波長になったとき熱エネルギーを発する。
遠赤外線の波長を、２×２．０６６×１０−５ｍとすると、１秒間にできる熱エネルギーは、
１秒間にできる熱エネルギー＝電子のラブの数×１電子のラブが１秒間に作る電気の光子の数×１個の電気の光子の熱エネルギー＝Ａ×（７．９６×１０７）２個×１．２３３×１０−４１Ｊｍ÷（２．０６６×１０−５ｍ）＝Ａ×３．７８１４×１０−２１Ｊ＝Ａ×１℃＝Ａ℃です。  この場の温度は、Ａ２℃です。
９．電子のラブの秒速は、電子のラブの公転軌道に比例する。
電子のラブの秒速は、電子のラブのエネルギーに反比例する。
電子のラブの秒速は、磁気の光子のエネルギーに反比例する。
磁気の光子のエネルギー＝電気の光子のエネルギーですから、
電子のラブの秒速は、電気の光子のエネルギーに反比例する。
１０．陽子のラブの秒速は、陽子のラブの公転軌道に比例する。
陽子のラブの秒速は、陽子のラブのエネルギーに反比例する。
陽子のラブの秒速は、磁気の光子のエネルギーに反比例する。
磁気の光子のエネルギー＝電気の光子のエネルギーですから、
陽子のラブの秒速は、電気の光子のエネルギーに反比例する。
１１．電子のラブの公転軌道は、電子のラブのエネルギーに反比例する。
電子のラブの公転軌道は、磁気の光子のエネルギーに反比例する。
磁気の光子のエネルギー＝電気の光子のエネルギーですから、
電子のラブの公転軌道は、電気の光子のエネルギーに反比例する。
電子のラブの公転軌道は、電子のラブの秒速に比例する。
電子のラブの公転軌道は、温度１／２に反比例する。
１２．陽子のラブの公転軌道は、陽子のラブのエネルギーに反比例する。
陽子のラブの公転軌道は、磁気の光子のエネルギーに反比例する。
磁気の光子のエネルギー＝電気の光子のエネルギーですから、
陽子のラブの公転軌道は、電気の光子のエネルギーに反比例する。
陽子のラブの公転軌道は、電子のラブの秒速に比例する。
陽子のラブの公転軌道は、温度１／２に反比例する。
１３．「電子のラブの限界公転軌道」は１．７４８×１０−９ｍです。
この電子のラブの秒速は、３．１４×１．７４８×１０−９ｍ×（７．９６×１０７）２公転＝３．４７８×１０７ｍです。
１４．「陽子のラブの限界公転軌道」は９．５２４×１０−１３ｍです。
この陽子のラブの秒速は、３．１４×９．５２４×１０−１３ｍ×７．９６×１０７×４．３４×１０４公転＝１．０３３×１０ｍです。
【図面の簡単な説明】
【０００７】
【図１】引力の１単位＝磁気の光子の輪の公転軌道×磁気の光子のエネルギー＝公転軌道×１自転でできる磁気の光子のエネルギー×１公転するときの自転数＝１．０５８×１０−１０ｍ×１．４６４×１０−３９Ｊ×７．９６×１０７回自転＝１．２３３×１０−４１Ｊｍ  １原子でできる引力と成る磁気の光子の公転軌道エネルギー１．３５６×１０−３２Ｊｍは、１．１×１０９公転（＝１．１×１０９単位）でできる。
【図２】熱は、電子のラブが１秒間に作った電気の光子が遠赤外線の波長になった時できるエネルギーである。地上の熱は１℃で、電子のラブが１秒間に作った電気の光子が遠赤外線の波長になってできた熱エネルギーである。熱になる遠赤外線の波長は４．１３２×１０−５ｍです。このエネルギーは、１．２３３×１０−４１Ｊｍ÷（２．０６６×１０−５ｍ）＝５．９６８×１０−３７Ｊです。
【図３】「電子のラブの限界公転軌道」は１．７４８×１０−９ｍです。この電子のラブの秒速は、３．１４×１．７４８×１０−９ｍ×（７．９６×１０７）２公転＝３．４７８×１０７ｍです。
【図４】「陽子のラブの限界公転軌道」は９．５２４×１０−１３ｍです。この陽子のラブの秒速は、３．１４×９．５２４×１０−１３ｍ×７．９６×１０７×４．３４×１０４公転＝１．０３３×１０ｍです。
【符号の説明】
１  引力の１単位である磁気の光子の公転軌道エネルギー。１原子でできる引力は、１．１×１０９単位の引力
２  熱になる遠赤外線の波長。熱になるエネルギーは、この（７．９６×１０７）２倍のエネルギー
３  「電子のラブの限界公転軌道」は１．７４８×１０−９ｍです。この電子のラブの秒速は、３．４７８×１０７ｍです。
４  「陽子のラブの限界公転軌道」は９．５２４×１０−１３ｍです。この陽子のラブの秒速は、１０．３３ｍです。
５  電子のラブ
６  陽子のラブ
【図１】
2007274888.tif 000008
【図２】
2007274888.tif 000009
【図３】
2007274888.tif 000010
【図４】
2007274888.tif 000011